(57)【要約】バックライト装置（１２）は、ＬＥＤ（１７）と、導光板（１９）と、プリズムシート（４２）と、光出射面側プリズム部（４３）と、主反射面（４１ａ１）とその反対側に配される再入射面（４１ａ２）とを有する単位反射部（４１ａ）を備える出光反射部（４１）と、反対板面側プリズム部（４４）と、主反射面（４１ａ１）に連なる延長主反射面（４５ａ）と、反対板面（１９ｃ）側に向かう光を主反射面（４１ａ１）及び延長主反射面（４５ａ）側へ向かうよう反射する第１補助反射面（４５ｂ）と、を有する第１反射突部（４５）と、再入射面（４１ａ２）に連なる延長再入射面（４６ａ）と、再入射面（４１ａ２）と延長再入射面（４６ａ）との少なくともいずれか一方に入射した光を光出射面（１９ａ）側へ向かうよう反射する第２補助反射面（４６ｂ）と、を有する第２反射突部（４６）と、を備える。
2015141367.tif 000002
【特許請求の範囲】
【請求項１】
光源と、  方形の板状をなし、その外周端面のうち対辺をなす一対の端面の少なくともいずれか一方が前記光源から発せられた光が入射される光入射面とされるとともに、一方の板面が光を出射させる光出射面とされ、さらには他方の板面が反対板面とされる導光板と、  前記導光板に対して出光側に配され、前記導光板の前記外周端面のうち対辺をなすとともに前記光入射面を含まない一対の端面に沿う第１方向に沿って延在する出光側単位集光部を、前記導光板の前記外周端面のうち前記光入射面を含む前記一対の端面に沿う第２方向に沿って複数並ぶ形で配してなる出光側異方性集光部と、  前記導光板の前記光出射面側に配され、前記第１方向に沿って延在する光出射面側単位集光部を、前記第２方向に沿って複数並ぶ形で配してなる光出射面側異方性集光部と、  前記導光板の前記反対板面側に配され、前記第２方向に沿って延在する形となるよう前記反対板面を凹ませる形で形成される単位反射部であって、前記第１方向について前記光源側に配される主反射面とその反対側に配される再入射面とを有する単位反射部を、前記第１方向に沿って間隔を空けて複数並ぶ形で配してなる出光反射部と、  前記導光板の前記反対板面側に配され、前記第１方向に沿って延在する反対板面側単位集光部を、前記第２方向に沿って複数並ぶ形で配してなる反対板面側異方性集光部と、  前記導光板の前記反対板面側において、前記単位反射部に対して前記第１方向について前記光源側に配されて前記反対板面から突出する形で形成される第１反射突部であって、前記主反射面に連なる延長主反射面と、前記第１方向について前記延長主反射面に対して前記光源側に配されて前記反対板面側に向かう光を前記主反射面及び前記延長主反射面側へ向かうよう反射する第１補助反射面と、を有する第１反射突部と、  前記導光板の前記反対板面側において、前記単位反射部に対して前記第１方向について前記第１反射突部側とは反対側に配されて前記反対板面から突出する形で形成される第２反射突部であって、前記再入射面に連なる延長再入射面と、前記第１方向について前記延長再入射面に対して前記第１反射突部側とは反対側に配されて前記再入射面と前記延長再入射面との少なくともいずれか一方に入射した光を前記光出射面側へ向かうよう反射する第２補助反射面と、を有する第２反射突部と、を備える照明装置。
【請求項２】
前記出光反射部は、前記単位反射部が前記第２方向について間隔を空けて断続的に並ぶ複数の分割単位反射部から構成されている請求項１記載の照明装置。
【請求項３】
前記出光反射部は、前記単位反射部が、前記反対板面側異方性集光部をなす前記反対板面側単位集光部のうちの頂部側を部分的に切り欠くことで前記第２方向に沿って開口する形態となるよう形成されている請求項２記載の照明装置。
【請求項４】
前記第１反射突部及び前記第２反射突部は、複数ずつが前記第２方向について間隔を空けて断続的に並ぶとともに、前記第２方向についての配置が前記複数の分割単位反射部に係る配置に揃えられている請求項３記載の照明装置。
【請求項５】
前記第１反射突部及び前記第２反射突部は、前記第１方向について正面から視た外形が、前記反対板面側単位集光部を前記第１方向について正面から視た外形に倣うよう形成されている請求項４記載の照明装置。
【請求項６】
前記第１反射突部及び前記第２反射突部は、それぞれが前記第２方向について連続的に延在し、前記複数の分割単位反射部に跨る形で配されるよう形成されている請求項２または請求項３記載の照明装置。
【請求項７】
前記第１反射突部は、前記第１補助反射面における前記第１方向についての寸法が、前記第１方向について前記光源に近づくのに従って大きくなるよう形成されている請求項１から請求項６のいずれか１項に記載の照明装置。
【請求項８】
前記出光反射部は、前記単位反射部における前記第１方向についての寸法が、前記第１方向について前記光源から遠ざかるのに従って大きくなるとともに、前記単位反射部における前記第１方向についての配列間隔が、一定となるよう形成されており、  前記第１反射突部は、前記第１方向についての寸法が、前記第１方向について隣り合う２つの前記単位反射部の間の間隔と等しくなるよう形成されている請求項７記載の照明装置。
【請求項９】
前記第２反射突部は、前記第１反射突部に比べて突出先端位置が前記反対板面からより遠くに配されるよう形成されている請求項１から請求項８のいずれか１項に記載の照明装置。
【請求項１０】
前記出光反射部は、複数の前記単位反射部が前記第１方向について前記光源から遠ざかるのに従って前記導光板の板面の法線方向についての寸法が大きくなるよう形成されており、  前記第１反射突部及び前記第２反射突部は、それぞれ前記第１方向に沿って間隔を空けて複数並ぶとともに、前記第１方向についての配置が複数の前記単位反射部に係る配置に揃えられるのに加えて、それぞれ前記光源から遠ざかるのに従って前記反対板面からの突出寸法が大きくなるよう形成されている請求項１から請求項９のいずれか１項に記載の照明装置。
【請求項１１】
前記第１反射突部と前記第２反射突部との少なくともいずれか一方は、前記反対板面からの突出先端部に形成される平坦面を有している請求項１から請求項１０のいずれか１項に記載の照明装置。
【請求項１２】
前記第１反射突部は、前記第１方向についての寸法が、前記第１方向について隣り合う２つの前記単位反射部の間の間隔と等しくなるよう形成されている請求項１から請求項１１のいずれか１項に記載の照明装置。
【請求項１３】
前記第１反射突部と前記第２反射突部との少なくともいずれか一方は、前記第１補助反射面と前記第２補助反射面との少なくともいずれか一方が、互いに異なる傾斜角度とされた複数の傾斜面からなるよう形成されている請求項１から請求項１２のいずれか１項に記載の照明装置。
【請求項１４】
前記第１反射突部と前記第２反射突部との少なくともいずれか一方は、前記第１補助反射面と前記第２補助反射面との少なくともいずれか一方が、曲面となるよう形成されている請求項１から請求項１２のいずれか１項に記載の照明装置。
【請求項１５】
請求項１から請求項１４のいずれか１項に記載の照明装置と、前記照明装置からの光を利用して表示を行う表示パネルとを備える表示装置。
【発明の詳細な説明】
【技術分野】
【０００１】  本発明は、照明装置及び表示装置に関する。
【背景技術】
【０００２】  近年、テレビ受信装置をはじめとする画像表示装置の表示素子は、従来のブラウン管から液晶パネルやプラズマディスプレイパネルなどの薄型の表示パネルに移行しつつあり、画像表示装置の薄型化を可能としている。液晶表示装置は、これに用いる液晶パネルが自発光しないため、別途に照明装置としてバックライト装置を必要としており、バックライト装置はその機構によって直下型とエッジライト型とに大別されている。エッジライト型のバックライト装置は、端部に配置した光源からの光を導光する導光板と、導光板からの光に光学作用を付与して均一な面状の光として液晶パネルへと供給する光学部材とを備えており、その一例として下記特許文献１に記載されたものが知られている。この特許文献１には、導光板の光出射面にシリンドリカルレンズを複数本並べて配置することで、導光板に集光機能を持たせるとともに、光出射面側にプリズムシートを配置した構成のものが開示されている。
【先行技術文献】
【特許文献】
【０００３】
【特許文献１】国際公開第２０１２／０５０１２１号
【０００４】（発明が解決しようとする課題）  上記した特許文献１では、導光板の光出射面に設けられるシリンドリカルレンズと、光出射面上に配されるプリズムシートとの集光方向を一致させることで、集光作用を高めるようにしている。しかしながら、バックライト装置に係る輝度のさらなる向上が求められる場合には、上記した構成では集光作用が不足するおそれがあり、未だ改善の余地があった。本発明は上記のような事情に基づいて完成されたものであって、輝度の向上を図ることを目的とする。
【発明の概要】
【０００５】（課題を解決するための手段）  本発明の照明装置は、光源と、方形の板状をなし、その外周端面のうち対辺をなす一対の端面の少なくともいずれか一方が前記光源から発せられた光が入射される光入射面とされるとともに、一方の板面が光を出射させる光出射面とされ、さらには他方の板面が反対板面とされる導光板と、前記導光板に対して出光側に配され、前記導光板の前記外周端面のうち対辺をなすとともに前記光入射面を含まない一対の端面に沿う第１方向に沿って延在する出光側単位集光部を、前記導光板の前記外周端面のうち前記光入射面を含む前記一対の端面に沿う第２方向に沿って複数並ぶ形で配してなる出光側異方性集光部と、前記導光板の前記光出射面側に配され、前記第１方向に沿って延在する光出射面側単位集光部を、前記第２方向に沿って複数並ぶ形で配してなる光出射面側異方性集光部と、前記導光板の前記反対板面側に配され、前記第２方向に沿って延在する形となるよう前記反対板面を凹ませる形で形成される単位反射部であって、前記第１方向について前記光源側に配される主反射面とその反対側に配される再入射面とを有する単位反射部を、前記第１方向に沿って間隔を空けて複数並ぶ形で配してなる出光反射部と、前記導光板の前記反対板面側に配され、前記第１方向に沿って延在する反対板面側単位集光部を、前記第２方向に沿って複数並ぶ形で配してなる反対板面側異方性集光部と、前記導光板の前記反対板面側において、前記単位反射部に対して前記第１方向について前記光源側に配されて前記反対板面から突出する形で形成される第１反射突部であって、前記主反射面に連なる延長主反射面と、前記第１方向について前記延長主反射面に対して前記光源側に配されて前記反対板面側に向かう光を前記主反射面及び前記延長主反射面側へ向かうよう反射する第１補助反射面と、を有する第１反射突部と、前記導光板の前記反対板面側において、前記単位反射部に対して前記第１方向について前記第１反射突部側とは反対側に配されて前記反対板面から突出する形で形成される第２反射突部であって、前記再入射面に連なる延長再入射面と、前記第１方向について前記延長再入射面に対して前記第１反射突部側とは反対側に配されて前記再入射面と前記延長再入射面との少なくともいずれか一方に入射した光を前記光出射面側へ向かうよう反射する第２補助反射面と、を有する第２反射突部と、を備える。
【０００６】  このようにすれば、光源から発せられた光は、導光板の光入射面に入射し、導光板内を伝播され、その過程で導光板の反対板面側に配された出光反射部により反射される。この出光反射部は、第２方向に沿って延在する単位反射部を、第１方向に沿って間隔を空けて複数並ぶ形で配してなるので、導光板内において第１方向に沿って進行する光を複数の単位反射部に有される主反射面により反射させることで、当該光を光出射面側に向けて立ち上げることができる。これにより、光を光出射面から出射させることができる。
【０００７】  ここで、導光板内を伝播して反対板面に達した光は、反対板面側異方性集光部を構成する反対板面側単位集光部によってその並び方向である第２方向について選択的に集光作用が付与された上で、単位反射部によって光出射面側に向けて立ち上げられる。導光板の光出射面に達した光には、光出射面側異方性集光部を構成する光出射面側単位集光部によってその並び方向である第２方向について選択的に集光作用が付与され、さらには光出射面から出射した光には、出光側異方性集光部を構成する出光側単位集光部によってその並び方向である第２方向について選択的に集光作用が付与される。このように、光出射面から出射されて出光側単位集光部に向かう光には、予め反対板面側異方性集光部及び光出射面側異方性集光部のそれぞれによって２段階で異方性集光作用が付与されているので、当該光に、出光側単位集光部において再帰反射されずに出射されるような光をより多く含ませることが可能となる。これにより、光の利用効率を十分に高めることができ、もって当該照明装置の出射光に係る輝度をより高めることができる。しかも、導光板の反対板面側に反対板面側異方性集光部を配するようにしているから、仮に導光板に対して出光側に異方性集光部を追加して配置した場合に比べると、部品点数の削減などが図られるとともに当該照明装置の薄型化にも資するものとされる。
【０００８】  ところで、導光板内を伝播される光は、途中で出光反射部を構成する単位反射部に有される主反射面にて反射されることで、光出射面側に立ち上げられるのであるが、その立ち上げ角度には偏りが生じ易く、光出射面を出射する光には、第１方向について光源側とは反対側に向かうベクトル成分が多く含まれがちとなっていて輝度ムラが生じ易くなっていた。その点、導光板の反対板面側には、単位反射部に対して第１方向について光源側に反対板面から突出する形の第１反射突部が配されているので、導光板内を伝播して反対板面側に向かう光は、第１反射突部において延長主反射面に対して第１方向について光源側に配される第１補助反射面にて反射されて主反射面及び延長主反射面側へ向けて進行することで、当該光に第１方向について光源側に向かうベクトル成分を付与することができる。これにより、その後に主反射面と延長主反射面との少なくともいずれか一方にて反射されて光出射面から出射する光に、第１方向について光源側とは反対側に向かうベクトル成分が偏って含まれる事態が生じ難くなり、もって輝度ムラの発生が緩和される。
【０００９】  その一方、導光板内を伝播されて単位反射部の主反射面に向かう光には、主反射面や延長主反射面に対する入射角が臨界角を超えず、主反射面や延長主反射面を透過するものが少なからず含まれている。主反射面や延長主反射面を透過した光の一部については、単位反射部の再入射面に入射されるものの、仮に、主反射面や延長主反射面を透過した光がそのまま単位反射部を通って反対板面に再度入射した後に光出射面から出射されると、その出射光には、第１方向について光源側とは反対側に向かうベクトル成分が多く含まれがちとなっていて輝度ムラを生じさせるおそれがあった。その点、導光板の反対板面側には、単位反射部に対して第１方向について光源側とは反対側に反対板面から突出する形の第２反射突部が配されているので、主反射面や延長主反射面を透過した光の一部は、第２反射突部における延長再入射面と再入射面との少なくともいずれか一方に入射した後に第２補助反射面にて反射されることで光出射面側へ向けて進行することで、当該光に第１方向について光源側に向かうベクトル成分を付与することができる。これにより、光出射面から出射する光に、第１方向について光源側とは反対側に向かうベクトル成分が偏って含まれる事態が生じ難くなり、もって輝度ムラの発生が緩和される。
【００１０】  本発明の実施態様として、次の構成が好ましい。（１）前記出光反射部は、前記単位反射部が前記第２方向について間隔を空けて断続的に並ぶ複数の分割単位反射部から構成されている。まず、単位反射部は、その表面積の大きさに反射光量が比例する傾向にあることから、必要な反射光量を得るには表面積の大きさをそれに応じた値としなければならない。ここで、仮に単位反射部を第２方向について導光板の全長にわたって延在する形で形成した場合には、単位反射部の表面積を上記値とするには、単位反射部における導光板の板面の法線方向についての寸法を一定以上に大きくすることができない。これに比べて、単位反射部を、第２方向について間隔を空けて断続的に並ぶ複数の分割単位反射部から構成すれば、単位反射部の表面積を上記値とするに際して、単位反射部における導光板の板面の法線方向についての寸法を相対的に大きくすることができる。従って、例えば導光板を樹脂成形により製造し、その反対板面に出光反射部を一体成形した場合には、反対板面において単位反射部をなす分割単位反射部が設計通りの形状でもって形成され易くなる。これにより、出光反射部の光学性能を適切に発揮させることができる。
【００１１】  なお、仮に単位反射部を第２方向について導光板の全長にわたって延在する形で形成した場合には、第１方向について並ぶ単位反射部の数を削減することで、各単位反射部の表面積を足した総面積を調整することが可能ではあるものの、そうすると第１方向について並ぶ単位反射部の配列間隔が大きくなるため、輝度ムラが生じることが懸念される。その点、単位反射部を、第２方向について間隔を空けて断続的に並ぶ複数の分割単位反射部から構成すれば、第１方向について並ぶ単位反射部の数及び配列間隔を変更する必要がないから、当該照明装置の出射光に輝度ムラが生じ難いものとされる。
【００１２】（２）前記出光反射部は、前記単位反射部が、前記反対板面側異方性集光部をなす前記反対板面側単位集光部のうちの頂部側を部分的に切り欠くことで前記第２方向に沿って開口する形態となるよう形成されている。仮に単位反射部が第２方向に沿って開口せずに第１方向に沿う側面を有する形態とされた場合には、その第１方向に沿う側面によって光が屈折または反射されることで、反対板面側異方性集光部による集光性能が劣化することが懸念される。その点、単位反射部が、反対板面側単位集光部のうちの頂部側を部分的に切り欠くことで第２方向に沿って開口する形態となるよう出光反射部が形成されているので、反対板面側異方性集光部による集光性能が良好に発揮され、それにより当該照明装置の出射光に係る輝度をより高めることができる。
【００１３】（３）前記第１反射突部及び前記第２反射突部は、複数ずつが前記第２方向について間隔を空けて断続的に並ぶとともに、前記第２方向についての配置が前記複数の分割単位反射部に係る配置に揃えられている。このようにすれば、第１反射突部の第１補助反射面にて反射した光を、分割単位反射部の主反射面及び延長主反射面側へと効率的に供給することができる。そして、分割単位反射部の主反射面や延長主反射面を透過した光を、第２反射突部の延長再入射面と再入射面との少なくともいずれか一方に入射させて第２補助反射面にて効率的に反射することができる。これにより、第１反射突部及び第２反射突部によって光出射面からの出射光に生じ得る輝度ムラをより好適に緩和することができる。また、第１反射突部及び第２反射突部が、反対板面側異方性集光部の集光性能に悪影響を及ぼし難いものとなる。
【００１４】（４）前記第１反射突部及び前記第２反射突部は、前記第１方向について正面から視た外形が、前記反対板面側単位集光部を前記第１方向について正面から視た外形に倣うよう形成されている。このようにすれば、例えば導光板を射出成形によって製造する場合、射出成形に用いる成形金型を切削加工によって成形するに際して切削を容易に行うことができる。また、導光板を製造するに際して、一度樹脂成形した導光板に切削加工を施すようにした場合でも、当該切削加工を容易に行うことができる。以上により生産性に優れる。
【００１５】（５）前記第１反射突部及び前記第２反射突部は、それぞれが前記第２方向について連続的に延在し、前記複数の分割単位反射部に跨る形で配されるよう形成されている。このようにすれば、導光板内を伝播して反対板面側に向かう光を、より多く第１反射突部の第１補助反射面にて反射して分割単位反射部の主反射面及び延長主反射面側へと供給することができる。そして、分割単位反射部の主反射面や延長主反射面を透過した光を、より多く第２反射突部の延長再入射面と再入射面との少なくともいずれか一方に効率的に入射させて第２補助反射面にて反射することができる。これにより、第１反射突部及び第２反射突部によって光出射面からの出射光に生じ得る輝度ムラを好適に緩和しつつ輝度の向上を図ることができる。
【００１６】（６）前記第１反射突部は、前記第１補助反射面における前記第１方向についての寸法が、前記第１方向について前記光源に近づくのに従って大きくなるよう形成されている。導光板の光出射面のうち、第１方向について光源から遠い側から出射する出射光は、出射までの間に導光板内を通る光路長が相対的に長いので、光の指向性が相対的に緩和されているものの、第１方向について光源に近い側から出射する出射光は、出射までの間に導光板内を通る光路長が相対的に短いので、光の指向性が相対的に緩和され難い傾向にある。その点、上記したように第１反射突部の第１補助反射面は、第１方向についての寸法が、第１方向について光源に近づくのに従って大きくされているので、第１方向について光源に近くなるほど、導光板内の光が第１補助反射面によって反射され易くなるとともに、その反射によって光には第１方向について光源側とは反対側に向かうベクトル成分がより多く含まれることになり、もって指向性の緩和が好適になされる。これにより、導光板の光出射面のうち、第１方向について光源から遠い側から出射する出射光と、第１方向について光源に近い側から出射する出射光と、に指向性の差が生じ難くなり、もって輝度ムラの発生がより好適に緩和される。
【００１７】（７）前記出光反射部は、前記単位反射部における前記第１方向についての寸法が、前記第１方向について前記光源から遠ざかるのに従って大きくなるとともに、前記単位反射部における前記第１方向についての配列間隔が、一定となるよう形成されており、前記第１反射突部は、前記第１方向についての寸法が、前記第１方向について隣り合う２つの前記単位反射部の間の間隔と等しくなるよう形成されている。例えば、当該照明装置を表示パネルと組み合わせて用いる場合、単位反射部における第１方向についての配列間隔を、当該表示パネルの画素配列との間で干渉が生じないような値とすることで、各単位反射部の主反射面により反射されることで導光板の光出射面から出射する光によって表示パネルに表示される画像に、モアレと呼ばれる干渉縞が生じ難いものとされる。一方、導光板内に存在する光量は、第１方向について光源から遠ざかるほど減少する傾向にある。その点、上記したように単位反射部における第１方向についての寸法が、第１方向について光源から遠ざかるに従って大きくされることで、第１方向について光源から遠い側においても単位反射部の主反射面によって光がより多く反射されて光出射面からの出射が促されるので、第１方向について光源に近い側と遠い側とで出射光量に差が生じ難くなる。さらには、上記のように第１方向についての配列間隔が一定とされて互いに隣り合う２つの単位反射部の間には、第１方向について全長にわたって第１反射突部が配されているので、そこに有される第１補助反射面は、上記のように単位反射部における第１方向についての寸法が第１方向について光源に近づくに従って小さくされることに起因して、第１方向についての寸法が光源に近づくに従って大きくされている。つまり、第１方向について隣り合う２つの単位反射部の間に、第１方向について全長にわたって第１反射突部を配置することで、第１補助反射面における第１方向についての寸法の変化率を、単位反射部における第１方向についての寸法の変化率に、容易に適合させることができる。これにより、光出射面からの出射光に生じ得る輝度ムラをより好適に緩和しつつ輝度の向上を図ることができる。
【００１８】（８）前記第２反射突部は、前記第１反射突部に比べて突出先端位置が前記反対板面からより遠くに配されるよう形成されている。このようにすれば、主反射面や延長主反射面を透過した光を、第２反射突部の延長再入射面により効率的に透過させて第２補助反射面にて反射することができる。これにより、第１反射突部及び第２反射突部によって光出射面からの出射光に生じ得る輝度ムラをより好適に緩和することができる。
【００１９】（９）前記出光反射部は、複数の前記単位反射部が前記第１方向について前記光源から遠ざかるのに従って前記導光板の板面の法線方向についての寸法が大きくなるよう形成されており、前記第１反射突部及び前記第２反射突部は、それぞれ前記第１方向に沿って間隔を空けて複数並ぶとともに、前記第１方向についての配置が複数の前記単位反射部に係る配置に揃えられるのに加えて、それぞれ前記光源から遠ざかるのに従って前記反対板面からの突出寸法が大きくなるよう形成されている。このようにすれば、導光板内を伝播して反対板面側に向かう光は、第１方向に沿って並ぶ複数の第１反射突部の各第１補助反射面にて反射されることで、第１方向に沿って並ぶ複数の単位反射部の主反射面及び延長主反射面側へとより適切に供給される。第１方向に沿って並ぶ複数の単位反射部の主反射面や延長主反射面を透過した光は、第１方向に沿って並ぶ複数の第２反射突部の延長再入射面と再入射面との少なくともいずれか一方により適切に入射されて第２補助反射面にて反射される。このように、第１方向に沿って並ぶ複数ずつの第１反射突部及び第２反射突部によって光出射面からの出射光に生じ得る輝度ムラをより好適に緩和しつつ輝度の向上を図ることができる。
【００２０】（１０）前記第１反射突部と前記第２反射突部との少なくともいずれか一方は、前記反対板面からの突出先端部に形成される平坦面を有している。このようにすれば、平坦面によって第１反射突部と第２反射突部との少なくともいずれか一方における突出先端部に潰れなどの変形が生じ難くなる。これにより、平坦面を有する第１反射突部と第２反射突部との少なくともいずれか一方における光学性能が安定的に発揮される。
【００２１】（１１）前記第１反射突部は、前記第１方向についての寸法が、前記第１方向について隣り合う２つの前記単位反射部の間の間隔と等しくなるよう形成されている。このようにすれば、第１方向について隣り合う２つの単位反射部の間には、第１方向について全長にわたって第１反射突部が配されることになる。これにより、第１反射突部に有される第１補助反射面によって導光板内を伝播して反対板面側に向かう光をより効率的に反射して主反射面及び延長主反射面側へと向かわせることができる。
【００２２】（１２）前記導光板における前記反対板面と対向する反射面を有するとともに前記反射面にて前記反対板面からの光を反射する反射部材を備えている。このようにすれば、導光板の反対板面から漏れた光を反射部材の反射面によって反射することで、その反射光を再び反対板面に効率的に入射させることができる。そして、例えば、導光板の反対板面と反射部材との間に隙間が生じていた場合でも、主反射面や延長主反射面を透過した光を、反対板面から反射部材側に突出する第２反射突部の延長再入射面に効率的に入射させ、その入射光を第２補助反射面により反射して光出射面側へと向かわせることができるので、輝度ムラを好適に緩和することができる。
【００２３】（１３）前記第１反射突部と前記第２反射突部との少なくともいずれか一方は、前記第１補助反射面と前記第２補助反射面との少なくともいずれか一方が、互いに異なる傾斜角度とされた複数の傾斜面からなるよう形成されている。このように、第１補助反射面と第２補助反射面との少なくともいずれか一方が複数の傾斜面からなる構成とすることで、反射光の進行方向が分散され易くなるので、輝度ムラの発生をより好適に抑制することができる。
【００２４】（１４）前記第１反射突部と前記第２反射突部との少なくともいずれか一方は、前記第１補助反射面と前記第２補助反射面との少なくともいずれか一方が、曲面となるよう形成されている。このように、第１補助反射面と第２補助反射面との少なくともいずれか一方が曲面からなる構成とすることで、反射光の進行方向が分散され易くなるので、輝度ムラの発生をより好適に抑制することができる。
【００２５】  次に、上記課題を解決するために、本発明の表示装置は、上記記載の照明装置と、前記照明装置からの光を利用して表示を行う表示パネルとを備える。
【００２６】  このような構成の表示装置によれば、照明装置の出射光に係る正面輝度が高く且つ輝度ムラが生じ難いものとされているから、表示品位に優れた表示を実現することができる。
【００２７】  前記表示パネルは、一対の基板間に液晶を封入してなる液晶パネルとされる。このような表示装置は液晶表示装置として、種々の用途、例えばスマートフォンやタブレット型パソコンのディスプレイ等に適用できる。
【００２８】（発明の効果）  本発明によれば、輝度の向上を図ることができる。
【図面の簡単な説明】
【００２９】
【図１】本発明の実施形態１に係る液晶表示装置の概略構成を示す分解斜視図
【図２】液晶表示装置を構成するバックライト装置の概略構成を示す分解斜視図
【図３】液晶表示装置における長辺方向（第１方向、Ｘ軸方向）に沿った断面構成を示す断面図
【図４】液晶表示装置における短辺方向（第２方向、Ｙ軸方向）に沿った断面構成を示す断面図
【図５】図３のＬＥＤ付近を拡大した断面図
【図６】導光板の平面図
【図７】導光板の底面図
【図８】導光板のうち、光入射面側の端部付近と、反対端面側の端部付近とを拡大した底面図
【図９】液晶表示装置を構成するバックライト装置における短辺方向（第２方向、Ｙ軸方向）に沿った断面構成を示す断面図
【図１０】図９のＡ−Ａ線断面図
【図１１】図９のＢ−Ｂ線断面図
【図１２】比較実験１において、比較例１及び実施例１に係る各導光板の出射光をプリズムシートに透過させて得た出射光における第１方向についての輝度角度分布を表すグラフ
【図１３】比較実験２において、比較例２及び実施例１に係る各導光板の出光反射部をなす単位反射部の高さ寸法を示すグラフ
【図１４】比較実験２において、比較例２及び実施例１に係る各導光板の第１位置から第５位置までにおける単位反射部の高さ寸法と、単位反射部の形状再現性とを示す表
【図１５】本発明の実施形態２に係る導光板の斜視図
【図１６】バックライト装置を短辺方向（第２方向、Ｙ軸方向）に沿って切断した断面構成を示す断面図
【図１７】本発明の実施形態３に係るバックライト装置を短辺方向（第２方向、Ｙ軸方向）に沿って切断した断面構成を示す断面図
【図１８】本発明の実施形態４に係るバックライト装置を短辺方向（第２方向、Ｙ軸方向）に沿って切断した断面構成を示す断面図
【図１９】本発明の実施形態５に係るバックライト装置を長辺方向（第１方向、Ｘ軸方向）に沿って切断した断面構成を示す断面図
【図２０】本発明の実施形態６に係るバックライト装置を長辺方向（第１方向、Ｘ軸方向）に沿って切断した断面構成を示す断面図
【図２１】本発明の実施形態７に係るバックライト装置を長辺方向（第１方向、Ｘ軸方向）に沿って切断した断面構成を示す断面図
【図２２】本発明の実施形態８に係るバックライト装置を長辺方向（第１方向、Ｘ軸方向）に沿って切断した断面構成を示す断面図
【図２３】本発明の実施形態９に係るバックライト装置を短辺方向（第２方向、Ｙ軸方向）に沿って切断した断面構成を示す断面図
【図２４】本発明の実施形態１０に係るバックライト装置を短辺方向（第２方向、Ｙ軸方向）に沿って切断した断面構成を示す断面図
【図２５】本発明の実施形態１１に係るバックライト装置を短辺方向（第２方向、Ｙ軸方向）に沿って切断した断面構成を示す断面図
【図２６】本発明の実施形態１２に係るバックライト装置を長辺方向（第１方向、Ｘ軸方向）に沿って切断した断面構成を示す断面図
【図２７】比較実験３において、比較例３及び実施例２に係る各導光板における第１方向について中央付近からの出射光をプリズムシートに透過させて得た出射光における第１方向についての輝度角度分布を表すグラフ
【図２８】比較実験３において、比較例３及び実施例２に係る各導光板における第１方向についてＬＥＤ付近からの出射光をプリズムシートに透過させて得た出射光における第１方向についての輝度角度分布を表すグラフ
【図２９】本発明の実施形態１３に係るバックライト装置を短辺方向（第２方向、Ｙ軸方向）に沿って切断した断面構成を示す断面図
【図３０】本発明の他の実施形態（１）に係るバックライト装置を長辺方向（第１方向、Ｘ軸方向）に沿って切断した断面構成を示す断面図
【図３１】本発明の他の実施形態（２）に係るバックライト装置を長辺方向（第１方向、Ｘ軸方向）に沿って切断した断面構成を示す断面図
【図３２】本発明の他の実施形態（３）に係るバックライト装置を長辺方向（第１方向、Ｘ軸方向）に沿って切断した断面構成を示す断面図
【図３３】本発明の他の実施形態（４）に係るバックライト装置を長辺方向（第１方向、Ｘ軸方向）に沿って切断した断面構成を示す断面図
【図３４】本発明の他の実施形態（５）に係るバックライト装置を長辺方向（第１方向、Ｘ軸方向）に沿って切断した断面構成を示す断面図
【図３５】本発明の他の実施形態（６）に係るバックライト装置を長辺方向（第１方向、Ｘ軸方向）に沿って切断した断面構成を示す断面図
【発明を実施するための形態】
【００３０】  ＜実施形態１＞  本発明の実施形態１を図１から図１４によって説明する。本実施形態では、液晶表示装置１０について例示する。なお、各図面の一部にはＸ軸、Ｙ軸及びＺ軸を示しており、各軸方向が各図面で示した方向となるように描かれている。また、上下方向については、図３から図５を基準とし、且つ同図上側を表側とするとともに同図下側を裏側とする。
【００３１】  液晶表示装置１０は、図１に示すように、全体として平面に視て長方形状をなしており、基幹部品である液晶表示ユニットＬＤＵにタッチパネル１４、カバーパネル（保護パネル、カバーガラス）１５、及びケーシング１６などの部品を組み付けてなるものとされる。液晶表示ユニットＬＤＵは、表側に画像を表示する表示面ＤＳを有する液晶パネル（表示パｔネル）１１と、液晶パネル１１の裏側に配されて液晶パネル１１に向けて光を照射するバックライト装置（照明装置）１２と、液晶パネル１１を表側、つまりバックライト装置１２側とは反対側（表示面ＤＳ側）から押さえるフレーム（筐体部材）１３と、を有してなる。タッチパネル１４及びカバーパネル１５は、共に液晶表示ユニットＬＤＵを構成するフレーム１３内に表側から収容されるとともに、外周部分（外周端部を含む）がフレーム１３によって裏側から受けられている。タッチパネル１４は、液晶パネル１１に対して表側に所定の間隔を空けた位置に配されるとともに、裏側（内側）の板面が表示面ＤＳと対向状をなす対向面とされている。カバーパネル１５は、タッチパネル１４に対して表側に重なる形で配されるとともに、裏側（内側）の板面がタッチパネル１４の表側の板面と対向状をなす対向面とされている。なお、タッチパネル１４とカバーパネル１５との間には、反射防止フィルムＡＲが介設されている（図５を参照）。ケーシング１６は、液晶表示ユニットＬＤＵを裏側から覆う形でフレーム１３に組み付けられている。液晶表示装置１０の構成部品のうち、フレーム１３の一部（後述する環状部１３ｂ）、カバーパネル１５及びケーシング１６が液晶表示装置１０の外観を構成している。本実施形態に係る液晶表示装置１０は、主にスマートフォンなどの携帯型電子機器に用いられるものであり、その画面サイズは、例えば５インチ程度とされている。
【００３２】  まず、液晶表示ユニットＬＤＵを構成する液晶パネル１１について詳しく説明する。液晶パネル１１は、図３及び図４に示すように、平面に視て長方形状をなすとともにほぼ透明で優れた透光性を有するガラス製の一対の基板１１ａ，１１ｂと、両基板１１ａ，１１ｂ間に介在し、電界印加に伴って光学特性が変化する物質である液晶分子を含む液晶層（図示せず）と、を備え、両基板１１ａ，１１ｂが液晶層の厚さ分のギャップを維持した状態で図示しないシール材によって貼り合わせられている。この液晶パネル１１は、画像が表示される表示領域（後述する板面遮光層３２により囲まれた中央部分）と、表示領域を取り囲む額縁状をなすとともに画像が表示されない非表示領域（後述する板面遮光層３２と重畳する外周部分）とを有している。なお、液晶パネル１１における長辺方向がＸ軸方向と一致し、短辺方向がＹ軸方向と一致し、さらに厚さ方向がＺ軸方向と一致している。
【００３３】  両基板１１ａ，１１ｂのうち表側（正面側）がＣＦ基板１１ａとされ、裏側（背面側）がアレイ基板１１ｂとされる。アレイ基板１１ｂにおける内面側（液晶層側、ＣＦ基板１１ａとの対向面側）には、スイッチング素子であるＴＦＴ（Thin Film Transistor）及び画素電極が多数個並んで設けられるとともに、これらＴＦＴ及び画素電極の周りには、格子状をなすゲート配線及びソース配線が取り囲むようにして配設されている。各配線には、図示しない制御回路から所定の画像信号が供給されるようになっている。ゲート配線及びソース配線により囲まれた方形の領域に配された画素電極は、ＩＴＯ（Indium Tin Oxide：酸化インジウム錫）或いはＺｎＯ（Zinc Oxide：酸化亜鉛）といった透明電極からなる。
【００３４】  一方、ＣＦ基板１１ａには、各画素に対応した位置に多数個のカラーフィルタが並んで設けられている。カラーフィルタは、Ｒ，Ｇ，Ｂの三色が交互に並ぶ配置とされる。各カラーフィルタ間には、混色を防ぐための遮光層（ブラックマトリクス）が形成されている。カラーフィルタ及び遮光層の表面には、アレイ基板１１ｂ側の画素電極と対向する対向電極が設けられている。このＣＦ基板１１ａは、アレイ基板１１ｂよりも一回り小さい大きさとされる。また、両基板１１ａ，１１ｂの内面側には、液晶層に含まれる液晶分子を配向させるための配向膜がそれぞれ形成されている。なお、両基板１１ａ，１１ｂの外面側には、それぞれ偏光板１１ｃ，１１ｄが貼り付けられている（図５を参照）。
【００３５】  続いて、液晶表示ユニットＬＤＵを構成するバックライト装置１２について詳しく説明する。バックライト装置１２は、図１に示すように、全体として液晶パネル１１と同様に平面に視て長方形の略ブロック状をなしている。バックライト装置１２は、図２から図４に示すように、光源であるＬＥＤ（Light Emitting Diode：発光ダイオード）１７と、ＬＥＤ１７が実装されたＬＥＤ基板（光源基板）１８と、ＬＥＤ１７からの光を導光する導光板１９と、導光板１９からの光を反射する反射シート（反射部材）４０と、導光板１９上に積層配置される光学シート（出光側異方性集光部、光学部材）２０と、導光板１９を表側から押さえる遮光フレーム２１と、ＬＥＤ基板１８、導光板１９、光学シート２０及び遮光フレーム２１を収容するシャーシ２２と、シャーシ２２の外面に接する形で取り付けられる放熱部材２３と、を備える。このバックライト装置１２は、その外周部分のうち短辺側の一端部にＬＥＤ１７（ＬＥＤ基板１８）が偏在する形で配された、片側入光方式のエッジライト型（サイドライト型）とされる。
【００３６】  ＬＥＤ１７は、図２，図３及び図５に示すように、ＬＥＤ基板１８に固着される基板部上にＬＥＤチップを樹脂材により封止した構成とされる。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光により励起されて所定の色を発光する蛍光体が分散配合されており、全体として概ね白色光を発するものとされる。なお、蛍光体としては、例えば黄色光を発光する黄色蛍光体、緑色光を発光する緑色蛍光体、及び赤色光を発光する赤色蛍光体の中から適宜組み合わせて用いたり、またはいずれか１つを単独で用いることができる。このＬＥＤ１７は、ＬＥＤ基板１８に対する実装面とは反対側の面が発光面１７ａとなる、いわゆる頂面発光型とされている。
【００３７】  ＬＥＤ基板１８は、図２，図３及び図５に示すように、Ｙ軸方向（導光板１９及びシャーシ２２の短辺方向）に沿って延在する、長手の板状をなしており、その板面をＹ軸方向及びＺ軸方向に並行させた姿勢、すなわち液晶パネル１１及び導光板１９の板面と直交させた姿勢でシャーシ２２内に収容されている。つまり、このＬＥＤ基板１８は、板面における長辺方向がＹ軸方向と、短辺方向がＺ軸方向とそれぞれ一致し、さらには板面と直交する板厚方向がＸ軸方向と一致した姿勢とされる。ＬＥＤ基板１８は、その内側を向いた板面（実装面１８ａ）が導光板１９における一方の短辺側の端面（光入射面１９ｂ、光源対向端面）に対してＸ軸方向について所定の間隔を空けつつ対向状に配されている。従って、ＬＥＤ１７及びＬＥＤ基板１８と導光板１９との並び方向は、Ｘ軸方向とほぼ一致している。このＬＥＤ基板１８は、その長さ寸法が導光板１９の短辺寸法とほぼ同じ程度かそれよりも大きなものとされており、後述するシャーシ２２における短辺側の一端部に取り付けられている。
【００３８】  ＬＥＤ基板１８のうち内側、つまり導光板１９側を向いた板面（導光板１９との対向面）には、図５に示すように、上記した構成のＬＥＤ１７が表面実装されており、ここが実装面１８ａとされる。ＬＥＤ１７は、ＬＥＤ基板１８の実装面１８ａにおいて、その長さ方向（Ｙ軸方向）に沿って複数が所定の間隔を空けつつ一列に（直線的に）並んで配置されている。つまり、ＬＥＤ１７は、バックライト装置１２における短辺側の一端部において短辺方向に沿って複数ずつ間欠的に並んで配置されていると言える。隣り合うＬＥＤ１７間の配列間隔（配列ピッチ）は、ほぼ等しいものとされる。また、ＬＥＤ基板１８の実装面１８ａには、Ｙ軸方向に沿って延在するとともにＬＥＤ１７群を横切って隣り合うＬＥＤ１７同士を直列接続する、金属膜（銅箔など）からなる配線パターン（図示せず）が形成されており、この配線パターンの両端部に形成された端子部が外部のＬＥＤ駆動回路に接続されることで、駆動電力を各ＬＥＤ１７に供給することが可能とされる。また、ＬＥＤ基板１８の基材は、シャーシ２２と同様に金属製とされ、その表面に絶縁層を介して既述した配線パターン（図示せず）が形成されている。なお、ＬＥＤ基板１８の基材に用いる材料としては、セラミックなどの絶縁材料を用いることも可能である。
【００３９】  導光板１９は、屈折率が空気よりも十分に高く且つほぼ透明で透光性に優れた合成樹脂材料（例えば耐久性に優れたポリカーボネート（ＰＣ）など）からなる。導光板１９は、図２及び図６に示すように、液晶パネル１１と同様に平面に視て概ね長方形状をなす平板状とされており、その板面が液晶パネル１１の板面（表示面ＤＳ）に並行している。導光板１９は、その板面における長辺方向がＸ軸方向と、短辺方向がＹ軸方向とそれぞれ一致し、且つ板面と直交する板厚方向がＺ軸方向と一致している。導光板１９は、図３及び図４に示すように、シャーシ２２内において液晶パネル１１及び光学シート２０の直下位置に配されており、その外周端面のうちの一方の短辺側の端面がシャーシ２２における短辺側の一端部に配されたＬＥＤ基板１８の各ＬＥＤ１７とそれぞれ対向状をなしている。従って、ＬＥＤ１７（ＬＥＤ基板１８）と導光板１９との並び方向がＸ軸方向と一致するのに対して、光学シート２０（液晶パネル１１）と導光板１９との並び方向（重なり方向）がＺ軸方向と一致しており、両並び方向が互いに直交するものとされる。そして、導光板１９は、ＬＥＤ１７からＸ軸方向（ＬＥＤ１７と導光板１９との並び方向）に沿って導光板１９へ向けて発せられた光を短辺側の端面から導入するとともに、その光を内部で伝播させつつ光学シート２０側（表側、光出射側）へ向くよう立ち上げて板面から出射させる機能を有する。
【００４０】  平板状をなす導光板１９の板面のうち、表側（出光側）を向いた板面（液晶パネル１１や光学シート２０との対向面）は、図３及び図４に示すように、内部の光を光学シート２０及び液晶パネル１１側に向けて出射させる光出射面１９ａとなっている。導光板１９における板面に対して隣り合う外周端面のうち、Ｙ軸方向（ＬＥＤ１７の並び方向、ＬＥＤ基板１８の長辺方向）に沿って長手状をなす一対の短辺側の端面のうちの一方（図３に示す左側）の端面は、図５に示すように、ＬＥＤ１７（ＬＥＤ基板１８）と所定の空間を空けて対向状をなしており、これがＬＥＤ１７から発せられた光が入射される光入射面１９ｂ、言い換えるとＬＥＤ１７と対向するＬＥＤ対向端面（光源対向端面）となっている。光入射面１９ｂは、Ｙ軸方向及びＺ軸方向に沿って並行する面とされ、光出射面１９ａに対して略直交する面とされる。また、ＬＥＤ１７と光入射面１９ｂ（導光板１９）との並び方向は、Ｘ軸方向と一致しており、光出射面１９ａに並行している。導光板１９の外周端面における一対の短辺側の端面のうち、上記した光入射面１９ｂとは反対側の他方の端面（光入射面１９ｂと対辺をなす端面）は、反対端面１９ｄとされるのに対し、光入射面１９ｂ及び反対端面１９ｄの双方に対して隣り合う一対の長辺側の端面（対辺をなすとともに光入射面１９ｂを含まない一対の端面）は、それぞれ側端面１９ｅとされる。一対の側端面１９ｅは、Ｘ軸方向（ＬＥＤ１７と導光板１９との並び方向）及びＺ軸方向に沿って並行する面とされる。導光板１９の外周端面のうち、光入射面１９ｂを除いた３つの端面、つまり反対端面１９ｄ及び一対の側端面１９ｅは、図３及び図４に示すように、それぞれＬＥＤ１７とは対向しないＬＥＤ非対向端面（光源非対向端面）とされる。導光板１９の外周端面である光入射面１９ｂに対してＬＥＤ１７から導光板１９内に入射された光は、次述する反射シート４０にて反射されたり、光出射面１９ａ、反対板面１９ｃ、及び他の外周端面（反対端面１９ｄ及び各側端面１９ｅ）にて全反射されるなどすることで導光板１９内を効率的に伝播されるようになっている。導光板１９の材料をポリカーボネートとした場合には、屈折率が１．５８５程度なので、臨界角は例えば３９°程度となる。なお、以下では、導光板１９の外周端面のうち、対辺をなすとともに光入射面１９ｂを含まない一対の端面（長辺側の端面、側端面１９ｅ）に沿う方向（Ｘ軸方向）を「第１方向」とし、対辺をなすとともに光入射面１９ｂを含む一対の端面（短辺側の端面、光入射面１９ｂ及び反対端面１９ｄ）に沿う方向（Ｙ軸方向）を「第２方向」とし、さらには導光板１９の板面の法線方向（第１方向及び第２方向の双方に対して直交する方向、導光板１９の板厚方向）を「第３方向」とする。
【００４１】  導光板１９の板面のうち、裏側（光出射側とは反対側）を向いた板面（反射シート４０やシャーシ２２の底板２２ａとの対向面）、言い換えると光出射面１９ａとは反対側の板面は、図３及び図４に示すように、反対板面１９ｃとされる。この反対板面１９ｃには、導光板１９からの光を反射して表側、つまり光出射面１９ａ側へ立ち上げることが可能な反射シート４０がそのほぼ全域を覆う形で設けられている。言い換えると、反射シート４０は、シャーシ２２の底板２２ａと導光板１９との間に挟まれた形で配されている。反射シート４０は、導光板１９における反対板面１９ｃと対向するとともに光を反射させる反射面４０ａを有しており、反射面４０ａによる反射光を導光板１９内において効率的に伝播させることが可能とされる。この反射シート４０のうち、導光板１９における光入射面１９ｂ側の端部は、図５に示すように、光入射面１９ｂよりも外側、つまりＬＥＤ１７側に向けて延出されており、この延出部分によってＬＥＤ１７からの光を反射することで、光入射面１９ｂへの光の入射効率を向上させることができる。また、反射シート４０と導光板１９の反対板面１９ｃとの間には、所定の隙間が空けられている。
【００４２】  導光板１９における反対板面１９ｃには、図３及び図５に示すように、導光板１９内を伝播する光を反射して光出射面１９ａからの出射を促すための出光反射部４１が設けられている。出光反射部４１は、導光板１９の反対板面１９ｃにおいて第２方向（Ｙ軸方向）に沿って延在するとともに断面形状が略三角形をなす溝状の単位反射部（単位出光反射部）４１ａを、第１方向（Ｘ軸方向）に沿って間隔を空けて複数並んで配置（間欠配置）してなるものとされる。単位反射部４１ａは、第１方向についてＬＥＤ１７側（光入射面１９ｂ側）に配される主反射面４１ａ１と、第１方向についてＬＥＤ１７側とは反対側（反対端面１９ｄ側）に配される再入射面４１ａ２と、有している。主反射面４１ａ１は、第１方向についてＬＥＤ１７側とは反対側（反対端面１９ｄ側）に向かうに従って次第に光出射面１９ａに近づくよう上り勾配となる傾斜面とされる。再入射面４１ａ２は、第１方向についてＬＥＤ１７側とは反対側に向かうに従って次第に光出射面１９ａから遠ざかるよう下り勾配となる傾斜面とされる。主反射面４１ａ１は、光出射面１９ａや反対板面１９ｃに対してなす傾斜角度θｓ１が、例えば４０°〜５０°の範囲とされるのが好ましく、図１０及び図１１には４５°程度としたものを図示している。再入射面４１ａ２は、光出射面１９ａや反対板面１９ｃに対してなす傾斜角度θｓ２が、例えば７０°〜９０°の範囲とされるのが好ましく、図１０及び図１１には８０°程度としたものを図示している。つまり、主反射面４１ａ１の上記傾斜角度θｓ１は、再入射面４１ａ２の上記傾斜角度θｓ２よりも小さいものとされる。そして、この単位反射部４１ａは、第１方向について光入射面１９ｂ側に配された主反射面４１ａ１にて光を反射させることで、光出射面１９ａに対する入射角が臨界角を超えない光を生じさせて光出射面１９ａからの出射を促すことが可能とされている。これに対し、単位反射部４１ａに有される再入射面４１ａ２は、主反射面４１ａ１に対する入射角が臨界角を超えない光が主反射面４１ａ１を透過したとき、当該透過光を導光板１９内に再入射させることが可能とされる。第１方向に沿って並んだ複数の単位反射部４１ａは、第１方向について光入射面１９ｂ（ＬＥＤ１７）から遠ざかるほどその高さ寸法（第３方向についての寸法）が次第に大きくなるとともに主反射面４１ａ１及び再入射面４１ａ２の面積（表面積）が次第に大きくなるよう配置されている。これにより、光出射面１９ａからの出射光が光出射面１９ａの面内において均一な分布となるよう制御されている。なお、単位反射部４１ａは、第１方向についての配列間隔（配列ピッチ）がＬＥＤ１７から遠ざかるに従って次第に広くなるよう配されている。
【００４３】  光学シート２０は、図２から図４に示すように、液晶パネル１１及びシャーシ２２と同様に平面に視て長方形状をなしている。光学シート２０は、導光板１９の光出射面１９ａに対して表側（出光側）に重なる形で配されている。つまり、光学シート２０は、液晶パネル１１と導光板１９との間に介在して配されることで、導光板１９からの出射光を透過するとともにその透過光に所定の光学作用を付与しつつ液晶パネル１１に向けて出射させる。なお、光学シート２０に関しては後に詳しく説明する。
【００４４】  遮光フレーム２１は、図３及び図４に示すように、導光板１９の外周部分（外周端部）に倣う形で延在する略枠状（額縁状）に形成されており、導光板１９の外周部分をほぼ全周にわたって表側から押さえることが可能とされる。この遮光フレーム２１は、合成樹脂製とされるとともに、表面が例えば黒色を呈する形態とされることで、遮光性を有するものとされる。遮光フレーム２１は、その内端部２１ａが導光板１９の外周部分及びＬＥＤ１７と、液晶パネル１１及び光学シート２０の各外周部分（外周端部）との間に全周にわたって介在する形で配されており、これらが光学的に独立するように仕切っている。これにより、ＬＥＤ１７から発せられて導光板１９の光入射面１９ｂに入光しない光や反対端面１９ｄ及び側端面１９ｅから漏れ出した光が、液晶パネル１１及び光学シート２０の各外周部分（特に端面）に直接入光するのを遮光することができるものとされる。また、遮光フレーム２１のうち、ＬＥＤ１７及びＬＥＤ基板１８とは平面に視て重畳しない３つの各辺部（一対の長辺部とＬＥＤ基板１８側とは反対側の短辺部）については、シャーシ２２の底板２２ａから立ち上がる部分と、フレーム１３を裏側から支持する部分とを有しているのに対し、ＬＥＤ１７及びＬＥＤ基板１８と平面に視て重畳する短辺部については、導光板１９の端部及びＬＥＤ基板１８（ＬＥＤ１７）を表側から覆うとともに一対の長辺部間を架橋する形で形成されている。また、この遮光フレーム２１は、次述するシャーシ２２に対して図示しないネジ部材などの固定手段によって固定されている。
【００４５】  シャーシ２２は、例えばアルミニウム板や電気亜鉛めっき綱板（ＳＥＣＣ）などの熱伝導率に優れた金属板からなり、図３及び図４に示すように、液晶パネル１１と同様に平面に視て長方形状をなす底板２２ａと、底板２２ａにおける各辺（一対の長辺及び一対の短辺）の外端からそれぞれ表側に向けて立ち上がる側板２２ｂとからなる。シャーシ２２（底板２２ａ）は、その長辺方向がＸ軸方向と一致し、短辺方向がＹ軸方向と一致している。底板２２ａは、その大部分が導光板１９を裏側（光出射面１９ａ側とは反対側）から支持する導光板支持部２２ａ１とされるのに対し、ＬＥＤ基板１８側の端部が段付き状に裏側に膨出する基板収容部２２ａ２とされる。この基板収容部２２ａ２は、図５に示すように、断面形状が略Ｌ字型をなしており、導光板支持部２２ａ１の端部から屈曲されて裏側に向けて立ち上がる立ち上がり部３８と、立ち上がり部３８の立ち上がり先端部から屈曲されて導光板支持部２２ａ１側とは反対側に向けて突出する収容底部３９とからなる。この立ち上がり部３８における導光板支持部２２ａ１の端部からの屈曲位置は、導光板１９の光入射面１９ｂよりもＬＥＤ１７側とは反対側（導光板支持部２２ａ１の中央寄り）に位置している。収容底部３９における突出先端部からは、長辺側の側板２２ｂが表側に立ち上がるよう屈曲形成されている。そして、この基板収容部２２ａ２に連なる短辺側の側板２２ｂには、ＬＥＤ基板１８が取り付けられており、この側板２２ｂが基板取付部３７を構成している。基板取付部３７は、導光板１９の光入射面１９ｂと対向状をなす対向面を有しており、この対向面にＬＥＤ基板１８が取り付けられている。ＬＥＤ基板１８は、ＬＥＤ１７が実装された実装面１８ａとは反対側の板面が、基板取付部３７における内側の板面に対して両面テープなどの基板固着部材２５を介して接する形で固着されている。取り付けられたＬＥＤ基板１８は、基板収容部２２ａ２をなす収容底部３９の内側の板面との間に僅かながらも隙間を有している。また、シャーシ２２の底板２２ａにおける裏側の板面には、液晶パネル１１の駆動を制御するための液晶パネル駆動回路基板（図示せず）、ＬＥＤ１７に駆動電力を供給するＬＥＤ駆動回路基板（図示せず）、タッチパネル１４の駆動を制御するためのタッチパネル駆動回路基板（図示せず）などが取り付けられている。
【００４６】  放熱部材２３は、アルミニウム板などの熱伝導性に優れた金属板からなり、図３に示すように、シャーシ２２における短辺側の一端部、詳しくはＬＥＤ基板１８を収容する基板収容部２２ａ２に沿って延在する形態とされる。放熱部材２３は、図５に示すように、断面形状が略Ｌ字型をなしており、基板収容部２２ａ２の外面に並行し且つその外面に接する第１放熱部２３ａと、基板収容部２２ａ２に連なる側板２２ｂ（基板取付部３７）の外面に並行する第２放熱部２３ｂとからなる。第１放熱部２３ａは、Ｙ軸方向に沿って延在する細長い平板状をなしており、Ｘ軸方向及びＹ軸方向に並行する表側を向いた板面が、基板収容部２２ａ２における収容底部３９の外面のほぼ全長にわたって当接されている。第１放熱部２３ａは、収容底部３９に対してネジ部材ＳＭによってネジ止めされており、ネジ部材ＳＭを挿通するネジ挿通孔２３ａ１を有している。また、収容底部３９には、ネジ部材ＳＭが螺合されるネジ孔２８が形成されている。これにより、ＬＥＤ１７から発せられた熱は、ＬＥＤ基板１８、基板取付部３７及び基板収容部２２ａ２を介して第１放熱部２３ａへと伝達されるようになっている。なお、ネジ部材ＳＭは、第１放熱部２３ａに対してその延在方向に沿って複数が間欠的に並ぶ形で取り付けられている。第２放熱部２３ｂは、Ｙ軸方向に沿って延在する細長い平板状をなしており、Ｙ軸方向及びＺ軸方向に並行する内側を向いた板面が、基板取付部３７における外側の板面との間に所定の隙間を空けつつ対向状に配されている。
【００４７】  続いて、液晶表示ユニットＬＤＵを構成するフレーム１３について説明する。フレーム１３は、アルミニウムなどの熱伝導率に優れた金属材料からなるものとされており、図１に示すように、全体としては、液晶パネル１１、タッチパネル１４及びカバーパネル１５の各外周部分（外周端部）に倣う形で延在する平面に視て長方形の略枠状（額縁状）をなしている。フレーム１３の製造方法としては、例えばプレス加工などが採られている。フレーム１３は、図３及び図４に示すように、液晶パネル１１の外周部分を表側から押さえるとともに、バックライト装置１２を構成するシャーシ２２との間で、互いに積層された液晶パネル１１、光学シート２０及び導光板１９を挟み込む形で保持している。その一方で、フレーム１３は、タッチパネル１４及びカバーパネル１５の各外周部分を裏側から受けており、液晶パネル１１とタッチパネル１４との外周部分間に介在する形で配されている。これにより、液晶パネル１１とタッチパネル１４との間には、所定の隙間が確保されるので、例えばカバーパネル１５に外力が作用したとき、カバーパネル１５に追従してタッチパネル１４が液晶パネル１１側に撓むよう変形した場合でも、撓んだタッチパネル１４が液晶パネル１１に干渉し難くなっている。
【００４８】  フレーム１３は、図３及び図４に示すように、液晶パネル１１、タッチパネル１４及びカバーパネル１５の各外周部分に倣う枠状部（フレーム基部、額縁状部）１３ａと、枠状部１３ａの外周端部に連なるとともにタッチパネル１４、カバーパネル１５及びケーシング１６をそれぞれ外周側から取り囲む環状部（筒状部）１３ｂと、枠状部１３ａから裏側に向けて突出してシャーシ２２及び放熱部材２３に取り付けられる取付板部１３ｃとを有してなる。枠状部１３ａは、液晶パネル１１、タッチパネル１４、及びカバーパネル１５の各板面に並行する板面を有する略板状をなすとともに、平面に視て長方形の枠状に形成されている。枠状部１３ａは、内周部分１３ａ１よりも外周部分１３ａ２の方が相対的に板厚が厚くなっており、両者の境界位置に段差（ギャップ）ＧＰが形成されている。枠状部１３ａのうち、内周部分１３ａ１が液晶パネル１１の外周部分とタッチパネル１４の外周部分との間に介在するのに対し、外周部分１３ａ２がカバーパネル１５の外周部分を裏側から受けている。このように、枠状部１３ａは、その表側の板面がほぼ全域にわたってカバーパネル１５によって覆われることになるため、表側の板面が殆ど外部に露出することがないものとされる。これにより、フレーム１３がＬＥＤ１７からの熱などにより温度上昇していても、液晶表示装置１０の使用者がフレーム１３における露出部位に直接接触し難くなるので、安全面で優れる。枠状部１３ａの内周部分１３ａ１における裏側の板面には、図５に示すように、液晶パネル１１の外周部分を緩衝しつつ表側から押さえるための緩衝材２９が固着されているのに対し、内周部分１３ａ１における表側の板面には、タッチパネル１４の外周部分を緩衝しつつ固着するための第１固着部材３０が固着されている。これら緩衝材２９及び第１固着部材３０は、内周部分１３ａ１において平面に視て互いに重畳する位置に配されている。一方、枠状部１３ａの外周部分１３ａ２における表側の板面には、カバーパネル１５の外周部分を緩衝しつつ固着するための第２固着部材３１が固着されている。これら緩衝材２９及び各固着部材３０，３１は、枠状部１３ａのうち四隅の角部を除いた各辺部に沿ってそれぞれ延在する形で配されている。また、各固着部材３０，３１は、例えば基材がクッション性を有する両面テープからなる。
【００４９】  環状部１３ｂは、図３及び図４に示すように、全体として平面に視て長方形の短角筒状をなしており、枠状部１３ａの外周部分１３ａ２の外周縁から表側に向けて突出する第１環状部３４と、枠状部１３ａの外周部分１３ａ２の外周縁から裏側に向けて突出する第２環状部３５とを有してなる。言い換えると、短角筒状をなす環状部１３ｂは、その軸線方向（Ｚ軸方向）についての略中央部における内周面に枠状部１３ａの外周縁が全周にわたって連ねられている。第１環状部３４は、枠状部１３ａに対して表側に配されるタッチパネル１４及びカバーパネル１５の各外周端面を全周にわたって取り囲む形で配されている。第１環状部３４は、その内周面がタッチパネル１４及びカバーパネル１５の各外周端面と対向状をなしているのに対し、外周面が当該液晶表示装置１０の外部に露出していて液晶表示装置１０における側面側の外観を構成している。一方、第２環状部３５は、枠状部１３ａに対して裏側に配されるケーシング１６における表側の端部（取付部１６ｃ）を外周側から取り囲んでいる。第２環状部３５は、その内周面が後述するケーシング１６の取付部１６ｃと対向状をなしているのに対し、外周面が当該液晶表示装置１０の外部に露出していて液晶表示装置１０における側面側の外観を構成している。第２環状部３５における突出先端部には、断面鉤型をなすフレーム側係止爪部３５ａが形成されており、このフレーム側係止爪部３５ａに対してケーシング１６が係止されることで、ケーシング１６を取付状態に保持することが可能とされる。
【００５０】  取付板部１３ｃは、図３及び図４に示すように、枠状部１３ａのうち外周部分１３ａ２から裏側に向けて突出するとともに、枠状部１３ａの各辺部に沿って延在する板状をなしており、その板面が枠状部１３ａの板面とほぼ直交している。取付板部１３ｃは、枠状部１３ａの各辺部毎に個別に配されている。枠状部１３ａのうちＬＥＤ基板１８側の短辺部に配された取付板部１３ｃは、その内側を向いた板面が放熱部材２３の第２放熱部２３ｂにおける外側の板面が接する形で取り付けられている。この取付板部１３ｃは、第２放熱部２３ｂに対してネジ部材ＳＭによってネジ止めされており、ネジ部材ＳＭを挿通するネジ挿通孔１３ｃ１を有している。また、第２放熱部２３ｂには、ネジ部材ＳＭが螺合されるネジ孔３６が形成されている。これにより、第１放熱部２３ａから第２放熱部２３ｂへと伝達されたＬＥＤ１７からの熱は、取付板部１３ｃへと伝達されてからフレーム１３の全体へと伝達されることで、効率的に放熱されるようになっている。また、この取付板部１３ｃは、放熱部材２３を介してシャーシ２２に対して間接的に固定されていると言える。一方、枠状部１３ａのうちＬＥＤ基板１８側とは反対側の短辺部及び一対の長辺部にそれぞれ配された各取付板部１３ｃは、その内側を向いた板面がシャーシ２２の各側板２２ｂにおける外側の板面に接する形でネジ部材ＳＭによってそれぞれネジ止めされている。これらの取付板部１３ｃには、ネジ部材ＳＭを挿通するネジ挿通孔１３ｃ１が形成されているのに対し、各側板２２ｂには、ネジ部材ＳＭが螺合されるネジ孔３６が形成されている。なお、各ネジ部材ＳＭは、各取付板部１３ｃに対してそれぞれの延在方向に沿って複数ずつが間欠的に並ぶ形で取り付けられている。
【００５１】  次に、上記したフレーム１３に組み付けられるタッチパネル１４について説明する。タッチパネル１４は、図１，図３及び図４に示すように、使用者が液晶パネル１１の表示面ＤＳの面内における位置情報を入力するための位置入力装置であり、長方形状をなすとともにほぼ透明で優れた透光性を有するガラス製の基板上に所定のタッチパネルパターン（図示せず）が形成されてなる。詳しくは、タッチパネル１４は、液晶パネル１１と同様に平面に視て長方形状をなすガラス製の基板を有しており、その表側を向いた板面にいわゆる投影型静電容量方式のタッチパネルパターンを構成するタッチパネル用透明電極部（図示せず）が形成されており、基板の面内においてタッチパネル用透明電極部が多数個行列状に並んで配置されている。タッチパネル１４における短辺側の一端部には、タッチパネルパターンを構成するタッチパネル用透明電極部から引き出された配線の端部に接続された端子部（図示せず）が形成されており、この端子部に対して図示しないフレキシブル基板が接続されることで、タッチパネル駆動回路基板からタッチパネルパターンをなすタッチパネル用透明電極部に電位が供給されるようになっている。タッチパネル１４は、図５に示すように、その外周部分における内側の板面が、既述した第１固着部材３０によってフレーム１３の枠状部１３ａにおける内周部分１３ａ１に対して対向した状態で固着されている。
【００５２】  続いて、上記したフレーム１３に組み付けられるカバーパネル１５について説明する。カバーパネル１５は、図１，図３及び図４に示すように、タッチパネル１４を表側からその全域にわたって覆う形で配されており、それによりタッチパネル１４及び液晶パネル１１の保護が図られている。カバーパネル１５は、フレーム１３における枠状部１３ａを表側から全域にわたって覆うとともに、液晶表示装置１０における正面側の外観を構成している。カバーパネル１５は、平面に視て長方形状をなすとともにほぼ透明で優れた透光性を有するガラス製で板状の基材からなり、好ましくは強化ガラスからなる。カバーパネル１５に用いられる強化ガラスとしては、例えば板状のガラス基材の表面に化学強化処理が施されることで、表面に化学強化層を備えた化学強化ガラスを用いることが好ましい。この化学強化処理は、例えばガラス材料に含まれるアルカリ金属イオンを、それよりもイオン半径が大きいアルカリ金属イオンとイオン交換により置換することで、板状のガラス基材の強化を図る処理をいい、その結果形成される化学強化層は圧縮応力が残留した圧縮応力層（イオン交換層）とされる。これにより、カバーパネル１５は、機械的強度及び耐衝撃性能が高いものとされているから、その裏側に配されるタッチパネル１４及び液晶パネル１１が破損したり、傷付くのをより確実に防止することができる。
【００５３】  カバーパネル１５は、図３及び図４に示すように、液晶パネル１１及びタッチパネル１４と同様に平面に視て長方形状をなしており、その平面に視た大きさは液晶パネル１１及びタッチパネル１４よりも一回り大きなものとされる。従って、カバーパネル１５は、液晶パネル１１及びタッチパネル１４における各外周縁から全周にわたって庇状に外側に張り出す張出部分１５ＥＰを有している。この張出部分１５ＥＰは、液晶パネル１１及びタッチパネル１４を取り囲む長方形の略枠状（略額縁状）をなしており、その内側の板面が、図５に示すように、既述した第２固着部材３１によってフレーム１３の枠状部１３ａにおける外周部分１３ａ２に対して対向した状態で固着されている。一方、カバーパネル１５のうちタッチパネル１４と対向状をなす中央部分は、反射防止フィルムＡＲを介してタッチパネル１４に対して表側に積層されている。
【００５４】  カバーパネル１５のうち上記した張出部分１５ＥＰを含む外周部分における内側（裏側）の板面（タッチパネル１４側を向いた板面）には、図３及び図４に示すように、光を遮る板面遮光層（遮光層、板面遮光部）３２が形成されている。板面遮光層３２は、例えば黒色を呈する塗料などの遮光性材料からなるものとされ、その遮光性材料を、カバーパネル１５における内側の板面に印刷することで同板面に一体的に設けられている。なお、板面遮光層３２を設けるに際しては、例えばスクリーン印刷、インクジェット印刷などの印刷手段を採用することができる。板面遮光層３２は、カバーパネル１５のうち張出部分１５ＥＰの全域に加えて、張出部分１５ＥＰよりも内側にあって、タッチパネル１４及び液晶パネル１１の各外周部分と平面に視てそれぞれ重畳する部分にわたる範囲に形成されている。従って、板面遮光層３２は、液晶パネル１１の表示領域を取り囲む形で配されることになるので、表示領域外の光を遮ることができ、もって表示領域に表示される画像に係る表示品位を高いものとすることができる。
【００５５】  続いて、上記したフレーム１３に組み付けられるケーシング１６について説明する。ケーシング１６は、合成樹脂材料または金属材料からなるものであって、図１，図３及び図４に示すように、表側に向けて開口した略椀型（略ボウル型）をなしており、フレーム１３の枠状部１３ａ、取付板部１３ｃ、シャーシ２２、及び放熱部材２３などの部材を裏側から覆うとともに、液晶表示装置１０における背面側の外観を構成している。ケーシング１６は、概ね平坦な底部１６ａと、底部１６ａの外周縁から表側へ向けて立ち上がるとともに断面湾曲形状をなす曲部１６ｂと、曲部１６ｂの外周縁から表側へ向けてほぼ真っ直ぐに立ち上がる取付部１６ｃとからなる。取付部１６ｃには、断面鉤型をなすケーシング側係止爪部１６ｄが形成されており、このケーシング側係止爪部１６ｄがフレーム１３のフレーム側係止爪部３５ａに対して係止されることで、ケーシング１６をフレーム１３に対して取付状態に保持することが可能とされる。
【００５６】  さて、本実施形態に係るバックライト装置１２は、その出射光を第２方向（Ｙ軸方向）について集光させるための構成を備えており、以下その理由及び構成について説明する。導光板１９内を伝播する光は、図３及び図５に示すように、その途中で出光反射部４１を構成する単位反射部４１ａの主反射面４１ａ１にて反射されて立ち上げられることで、光出射面１９ａに対する入射角が臨界角以下となって出射されるようになっており、第１方向（Ｘ軸方向）に関しては単位反射部４１ａによって立ち上げられることで正面方向、つまり光出射面１９ａからその法線方向に沿って表側に向かうよう一定の集光が図られている。ところが、出光反射部４１は、第１方向については反射光に集光作用を付与するものの、第２方向については反射光に集光作用を殆ど付与しないため、光出射面１９ａからの出射光に係る輝度に異方性が生じるおそれがある。そこで、本実施形態では次に示す構成によって第２方向についての集光を図るようにしている。すなわち、光学シート２０は、図２に示すように、透過光に第２方向について選択的に集光作用を付与する集光異方性を有する１枚のプリズムシート（出光側異方性集光部）４２から構成されるのに対し、導光板１９の光出射面１９ａには、出射光に第２方向について選択的に集光作用を付与する集光異方性を有する光出射面側プリズム部（光出射面側異方性集光部）４３が設けられ、さらには導光板１９の反対板面１９ｃには、導光板１９内を伝播する光に第２方向について選択的に集光作用を付与する集光異方性を有する反対板面側プリズム部（反対板面側異方性集光部）４４が設けられている。続いて、プリズムシート４２、光出射面側プリズム部４３及び反対板面側プリズム部４４について詳しく説明する。
【００５７】  プリズムシート４２は、図２及び図９に示すように、シート状をなすシート基材４２ｂと、シート基材４２ｂのうち導光板１９からの出射光が入射される入光側板面４２ｂ１とは反対側（出光側）の出光側板面４２ｂ２に形成されるとともに集光異方性を有する出光側単位プリズム（出光側単位集光部）４２ａとから構成される。シート基材４２ｂは、ほぼ透明な合成樹脂製とされ、具体的には例えばＰＥＴなどの熱可塑性樹脂材料からなり、その屈折率は例えば１．６６７程度とされる。出光側単位プリズム４２ａは、シート基材４２ｂにおける表側（出光側）の板面である出光側板面４２ｂ２に一体的に設けられている。出光側単位プリズム４２ａは、光硬化性樹脂材料の一種であるほぼ透明な紫外線硬化性樹脂材料からなり、第１プリズムシート４２の製造に際しては、例えば未硬化の紫外線硬化性樹脂材料を成形用の型内に充填するとともに、その型の開口端にシート基材４２ｂを宛うことで、未硬化の紫外線硬化性樹脂材料を出光側板面４２ｂ２に接する形で配し、その状態でシート基材４２ｂを介して紫外線硬化性樹脂材料に対して紫外線を照射することで、紫外線硬化性樹脂材料を硬化させて出光側単位プリズム４２ａをシート基材４２ｂに対して一体的に設けることができる。出光側単位プリズム４２ａをなす紫外線硬化性樹脂材料は、例えばＰＭＭＡなどのアクリル樹脂とされ、その屈折率が例えば１．５９程度とされる。出光側単位プリズム４２ａは、シート基材４２ｂの出光側板面４２ｂ２から第３方向（Ｚ軸方向）に沿って表側（出光側）に向けて突出する形で設けられている。この出光側単位プリズム４２ａは、第２方向（Ｙ軸方向）に沿って切断した断面形状が略三角形（略山形）をなすとともに第１方向（Ｘ軸方向）に沿って直線的に延在しており、出光側板面４２ｂ２において第２方向に沿って多数本が並んで配置されている。出光側単位プリズム４２ａは、その幅寸法（第２方向についての寸法）が第１方向について全長にわたって一定とされる。各出光側単位プリズム４２ａは、断面形状がほぼ二等辺三角形状をなしており、一対の斜面４２ａ１を有するとともにその頂角θｖ１がほぼ直角（９０°）程度とされる。第２方向に沿って並列した多数本の出光側単位プリズム４２ａは、頂角θｖ１、底面４２ａ２の幅寸法及び高さ寸法が全てほぼ同一とされており、隣り合う出光側単位プリズム４２ａ間の配列間隔もほぼ一定で等間隔に配列されている。
【００５８】  このような構成のプリズムシート４２に導光板１９側から光が入射する際には、その光は、図９に示すように、導光板１９の光出射面１９ａとプリズムシート４２のシート基材４２ｂとの間に有される空気層からシート基材４２ｂの入光側板面４２ｂ１に入射するため、その界面にて入射角に応じて屈折される。シート基材４２ｂを透過した光がシート基材４２ｂの出光側板面４２ｂ２から出光側単位プリズム４２ａに入射する際にもやはり界面にて入射角に応じて屈折される。そして、出光側単位プリズム４２ａを透過した光は、出光側単位プリズム４２ａの斜面４２ａ１に達したとき、その入射角が臨界角を超えていれば全反射されてシート基材４２ｂ側に戻される（再帰反射される）のに対し、入射角が臨界角を超えていなければ界面にて屈折されつつ出射される。出光側単位プリズム４２ａの斜面４２ａ１から出射される光のうち、隣り合う出光側単位プリズム４２ａに向かうものはその出光側単位プリズム４２ａ内に入射してシート基材４２ｂ側に戻される。これにより、出光側単位プリズム４２ａからの出射光は、第２方向について進行方向が正面方向に近くなるよう規制され、もって第２方向について選択的に集光作用が付与されるようになっている。
【００５９】  次に、導光板１９の光出射面１９ａ側に配された光出射面側プリズム部４３について説明する。光出射面側プリズム部４３は、導光板１９に一体形成されている。光出射面側プリズム部４３を導光板１９に一体に設けるには、例えば導光板１９を射出成形によって製造し、その成形金型の成形面に予め光出射面側プリズム部４３を転写するための転写形状を形成しておけばよい。光出射面側プリズム部４３は、図２，図６及び図９に示すように、光出射面１９ａに、第１方向（Ｘ軸方向）に沿って延在する光出射面側単位プリズム（光出射面側単位集光部）４３ａを第２方向（Ｙ軸方向）に沿って多数並ぶ形で配してなる。光出射面側単位プリズム４３ａは、光出射面１９ａから第３方向（Ｚ軸方向）に沿って表側（出光側）に向けて突出する形で設けられている。光出射面側単位プリズム４３ａは、第２方向に沿って切断した断面形状が略三角形（略山形）をなすとともに第１方向に沿って直線的に延在している。光出射面側単位プリズム４３ａは、その幅寸法（第２方向についての寸法）が第１方向について全長にわたって一定とされる。各光出射面側単位プリズム４３ａは、断面形状がほぼ二等辺三角形状をなしており、一対の斜面４３ａ１を有するとともにその頂角θｖ２が鈍角（９０°以上）、具体的には１００°〜１５０°の範囲とされるのが好ましく、１１０°程度とされるのが最も好ましい。つまり、光出射面側単位プリズム４３ａの頂角θｖ２は、出光側単位プリズム４２ａの頂角θｖ１よりも相対的に大きなものとされる。第２方向に沿って並列した多数本の光出射面側単位プリズム４３ａは、頂角θｖ２、底面の幅寸法及び高さ寸法が全てほぼ同一とされており、隣り合う光出射面側単位プリズム４３ａ間の配列間隔もほぼ一定で等間隔に配列されている。
【００６０】  このような構成の光出射面側プリズム部４３は、図９に示すように、導光板１９内を伝播して光出射面１９ａに達した光に次のようにして異方性集光作用を付与している。すなわち、光出射面１９ａに達した光が、光出射面側単位プリズム４３ａの斜面４３ａ１に対して臨界角以下の入射角で入射した場合には、その光は斜面４３ａ１にて屈折されつつ出射されることで、第２方向について選択的に集光される。一方、光出射面１９ａに達した光が、光出射面側単位プリズム４３ａの斜面４３ａ１に対して臨界角を超える入射角度で入射した場合には、斜面４３ａ１にて全反射されることで反対板面１９ｃ側に戻される（再帰反射される）。これにより、光出射面１９ａの出射光は、第２方向について進行方向が正面方向に近くなるよう規制され、もって第２方向について選択的に集光作用が付与されるようになっている。
【００６１】  続いて、導光板１９の反対板面１９ｃ側に配された反対板面側プリズム部４４について説明する。反対板面側プリズム部４４は、導光板１９に一体形成されている。反対板面側プリズム部４４を導光板１９に一体に設けるには、例えば導光板１９を射出成形によって製造し、その成形金型の成形面に予め反対板面側プリズム部４４を転写するための転写形状を形成しておけばよい。反対板面側プリズム部４４は、図２，図７及び図９に示すように、反対板面１９ｃに、第１方向（Ｘ軸方向）に沿って延在する反対板面側単位プリズム（反対板面側単位集光部）４４ａを第２方向（Ｙ軸方向）に沿って多数並ぶ形で配してなる。反対板面側単位プリズム４４ａは、反対板面１９ｃから第３方向（Ｚ軸方向）に沿って裏側（出光側とは反対側）に向けて突出する形で設けられている。反対板面側単位プリズム４４ａは、第２方向に沿って切断した断面形状が略三角形（略山形）をなすとともに第１方向に沿って直線的に延在している。反対板面側単位プリズム４４ａは、その幅寸法（第２方向についての寸法）が第１方向について全長にわたって一定とされる。各反対板面側単位プリズム４４ａ（第２方向について両端に配されたものを除く）は、断面形状がほぼ二等辺三角形状をなしており、一対の斜面４４ａ１を有するとともにその頂角θｖ３が鈍角（９０°以上）、具体的には１００°〜１５０°の範囲とされるのが好ましく、１４０°程度とされるのが最も好ましい。つまり、反対板面側単位プリズム４４ａの頂角θｖ３は、出光側単位プリズム４２ａの頂角θｖ１よりも相対的に大きなものとされる。また、反対板面側単位プリズム４４ａの頂角θｖ３は、光出射面側単位プリズム４３ａの頂角θｖ２よりも相対的に大きなものとされる。第２方向に沿って並列した多数本の反対板面側単位プリズム４４ａは、頂角θｖ３、底面の幅寸法及び高さ寸法が全てほぼ同一とされており、隣り合う反対板面側単位プリズム４４ａ間の配列間隔もほぼ一定で等間隔に配列されている。なお、導光板１９の反対板面１９ｃにおいて、第２方向について両端に配された２つの反対板面側単位プリズム４４ａは、図２に示すように、断面形状が直角三角形状をなしていて、斜面４４ａ１を１つのみ有するとともにその頂角が上記した中央側の反対板面側単位プリズム４４ａの頂角θｖ３の約半分程度とされる。つまり、第２方向について両端に配された２つの反対板面側単位プリズム４４ａは、中央側に配された反対板面側単位プリズム４４ａをその頂部にて第１方向及び第３方向に沿って半割したような形状とされる。
【００６２】  このような構成の反対板面側単位プリズム４４ａは、図９に示すように、導光板１９内を伝播して反対板面１９ｃに達した光に次のようにして異方性集光作用を付与している。すなわち、反対板面１９ｃに達した光が、反対板面側単位プリズム４４ａの斜面４４ａ１に対して臨界角を超える入射角度で入射した場合には、斜面４４ａ１にて全反射されることで、第２方向について正面方向に向かうよう屈折される。このように反対板面側単位プリズム４４ａにより第２方向について正面方向に向かうよう屈折された光は、図１０に示すように、出光反射部４１にて反射されることで、光出射面１９ａ側に向けて立ち上げられる。一方、光出射面１９ａに達した光が、反対板面側単位プリズム４４ａの斜面４４ａ１に対して臨界角以下の入射角で入射した場合には、図９に示すように、その光は斜面４４ａ１にて屈折されつつ反射シート４０側に向けて出射される。反射シート４０側に出射した光は、反射シート４０の反射面４０ａにて反射された後、再び反対板面１９ｃに達したところで反対板面側単位プリズム４４ａの斜面４４ａ１に入射し、そこで再び第２方向について正面方向に向かうよう屈折される。なお、出光反射部４１にて反射されて光出射面１９ａ側に向かった光は、光出射面１９ａにおいて光出射面側プリズム部４３によって再帰反射されると、再び反対板面側単位プリズム４４ａが配された反対板面１９ｃへと向かうことになる。これにより、導光板１９内を伝播して反対板面１９ｃに達した光は、第２方向について進行方向が正面方向に近くなるよう規制され、もって第２方向について選択的に集光作用が付与されつつ光出射面１９ａ側に向けて立ち上げられる。
【００６３】  以上のように、ＬＥＤ１７から発せられて導光板１９内に入射した光は、図９及び図１０に示すように、導光板１９内を伝播する過程で反対板面１９ｃに配された反対板面側プリズム部４４によって第２方向について選択的に集光作用が付与されるとともに出光反射部４１にて反射されることで、光出射面１９ａ側に向けて立ち上げられる。光出射面１９ａに達した光は、そこで光出射面側プリズム部４３によって第２方向について選択的に集光作用が付与されつつ出射される。そして、光出射面１９ａから出射された光は、プリズムシート４２を透過する過程で出光側単位プリズム４２ａによってさらに第２方向について選択的に集光作用が付与される。従って、光出射面１９ａから出射してプリズムシート４２に向かう光に、出光側単位プリズム４２ａにおいて再帰反射されずに出射されるような光をより多く含ませることが可能となる。これにより、光の利用効率を十分に高めることができ、もって当該バックライト装置１２の出射光に係る輝度をより高くすることができる。しかも、導光板１９の反対板面１９ｃ側に反対板面側プリズム部４４を配するようにしているから、仮に導光板１９に対して出光側に異方性集光部を追加して配置した場合に比べると、部品点数の削減などが図られるとともに当該バックライト装置１２の薄型化にも資するものとされる。さらには、導光板１９内を伝播する光は、光出射面側プリズム部４３と反対板面側プリズム部４４との間で多重反射され易くなっているので、それにより導光板１９内において第１方向について好適に拡散されるようになっている。これにより、光出射面１９ａのうち、特にＬＥＤ１７に近い光入射面１９ｂ側の部分において明部と暗部とが生じ難く、その出射光に輝度ムラが生じ難いものとされる。
【００６４】  プリズムシート４２は、図９に示すように、既述した通り、出光側単位プリズム４２ａの頂角θｖ１が、光出射面側単位プリズム４３ａ及び反対板面側単位プリズム４４ａのいずれの頂角θｖ２，θｖ３よりも小さいので、光出射面側プリズム部４３及び反対板面側プリズム部４４に比べるとより多くの光を再帰反射させるとともに出射光の出射角度範囲をより狭く規制しており、最も強い集光作用を有している。これに対し、プリズムシート４２に供給される光は、導光板１９の反対板面１９ｃにおいて反対板面側プリズム部４４により異方性集光作用が付与された後に、光出射面１９ａにおいて光出射面側プリズム部４３により異方性集光作用が付与されたものとなっているから、プリズムシート４２をなす出光側単位プリズム４２ａにおいて再帰反射される割合が低くなっており、それにより出光側単位プリズム４２ａから効率的に出射されるようになっている。これにより、光の利用効率がより高いものとなっていて、バックライト装置１２の出射光に係る輝度の向上に好適となる。
【００６５】  ところで、導光板１９内を伝播される光は、途中で出光反射部４１を構成する単位反射部４１ａに有される主反射面４１ａ１にて反射されることで、光出射面１９ａ側に立ち上げられるのであるが、その立ち上げ角度には第１方向について偏りが生じ易く、光出射面１９ａを出射する光には、第１方向についてＬＥＤ１７側とは反対側、つまり反対端面１９ｄ側に向かうベクトル成分が多く含まれがちとなっていて輝度ムラが生じ易くなっていた。一方、導光板１９内を伝播される光には、単位反射部４１ａの主反射面４１ａ１に対する入射角が臨界角を超えず、主反射面４１ａ１を透過するものが少なからず含まれており、その透過光の一部については、単位反射部４１ａの再入射面４１ａ２に入射される。このとき、仮に、主反射面４１ａ１を透過した光がそのまま単位反射部４１ａを通った後に反射シート４０により反射されて反対板面１９ｃに再度入射し、その後に光出射面１９ａから出射されると、その出射光には、第１方向についてＬＥＤ１７側とは反対側に向かうベクトル成分が多く含まれがちとなっていて輝度ムラを生じさせるおそれがあった。そこで、本実施形態に係る導光板１９の反対板面１９ｃ側には、図１０に示すように、単位反射部４１ａに対して第１方向についてＬＥＤ１７側に第１反射突部４５が、その反対側に第２反射突部４６が、それぞれ反対板面１９ｃ（反対板面側単位プリズム４４ａ）から突出する形で設けられている。これら第１反射突部４５及び第２反射突部４６により導光板１９内を伝播する光が反射されて光出射面１９ａに達することで、光出射面１９ａの出射光には、第１方向についてＬＥＤ１７側に向かうベクトル成分が付与され、もって第１方向についてＬＥＤ１７側とは反対側に向かうベクトル成分が偏って含有され難くなるとともに第１方向について輝度ムラが生じ難くなっている。続いて、第１反射突部４５及び第２反射突部４６について詳しく説明する。
【００６６】  第１反射突部４５は、図１０に示すように、導光板１９に一体形成されている。第１反射突部４５を導光板１９に一体に設けるには、例えば導光板１９を射出成形によって製造し、その成形金型の成形面に予め第１反射突部４５を転写するための転写形状を形成しておけばよい。第１反射突部４５は、図７及び図８に示すように、第１方向について複数が間隔を空けて並ぶ形で配されており、その第１方向についての配置が、出光反射部４１を構成する複数の単位反射部４１ａにおける第１方向についての配置と揃えられている。つまり、第１反射突部４５は、その設置数が単位反射部４１ａの設置数と同一とされるとともに、各単位反射部４１ａに対応付けて配置されている。第１反射突部４５は、図１０に示すように、第１方向に沿って切断した断面形状が略三角形（略山形）をなすとともに、図９に示すように、第２方向に沿って切断した断面形状、言い換えると第１方向について正面から視た形状が略三角形をなしており、全体としては突出先端部が先細り状となる略角錐型をなしている。第１反射突部４５は、第１方向について正面から視た外形が、反対板面側単位プリズム４４ａを第１方向について正面から視た外形に倣うよう形成されている、と言える。第１反射突部４５は、図９から図１１に示すように、反対板面１９ｃ（反対板面側単位プリズム４４ａ）からの突出寸法が最も大きな突出先端部から第２方向について両端側に向かうに従って突出寸法が連続的に漸次減少し、第２方向についての両端部が、反対板面側単位プリズム４４ａ及び単位反射部４１ａにおける第２方向についての両端部に至る手前の位置に配されている。第１方向に沿って並ぶ複数の第１反射突部４５は、図１０に示すように、反対板面１９ｃからの突出寸法に関して、第１方向についてＬＥＤ１７側から遠ざかるのに従って次第に大きくなるよう形成されている。詳しくは、最もＬＥＤ１７の近く（図７に示す左端）に配される第１反射突部４５の上記突出寸法が最小となり、最もＬＥＤ１７から遠く（図７に示す右端）に配される第１反射突部４５の上記突出寸法が最大となっている。このように、第１方向に沿って並ぶ複数の第１反射突部４５は、上記突出寸法が第１方向に沿って並ぶ複数の単位反射部４１ａにおける高さ寸法と同様に変化するものとされており、その変化率が単位反射部４１ａの高さ寸法に係る変化率と概ね等しいものとされている。また、第１反射突部４５における第１方向についての寸法は、第１方向について隣り合う２つの単位反射部４１ａの間の間隔よりも小さなものとされている。従って、導光板１９の反対板面１９ｃのうち、第１方向について第１反射突部４５に対してＬＥＤ１７側の部分が、第１方向及び第２方向に沿って平坦な平坦面４７とされている。この平坦面４７は、第１方向について隣り合う第１反射突部４５と第２反射突部４６との間に介在する形で配されている、とも言える。また、第１方向に沿って並ぶ複数の第１反射突部４５は、第１方向についての寸法（長さ寸法）に関して、第１方向についてＬＥＤ１７側から遠ざかるのに従って次第に大きくなるよう形成されている。
【００６７】  そして、第１反射突部４５は、図１０に示すように、単位反射部４１ａの主反射面４１ａ１に連なる延長主反射面４５ａと、第１方向について延長主反射面４５ａに対してＬＥＤ１７側に配される第１補助反射面４５ｂと、を有している。延長主反射面４５ａは、第１方向について第１反射突部４５の突出先端部（頂部）に対してＬＥＤ１７側とは反対側、つまり単位反射部４１ａ側に配されている。延長主反射面４５ａは、第１方向についてＬＥＤ１７側とは反対側（反対端面１９ｄ側）に向かうに従って次第に光出射面１９ａに近づくよう上り勾配となる傾斜面とされており、突出先端部側とは反対側の端部が主反射面４１ａ１に連なっている。延長主反射面４５ａは、光出射面１９ａや反対板面１９ｃに対してなす傾斜角度θｓ１が、例えば４０°〜５０°の範囲とされるのが好ましく、図１０及び図１１には４５°程度としたものを図示している。つまり、延長主反射面４５ａにおける上記傾斜角度θｓ１は、主反射面４１ａ１の同傾斜角度θｓ１と等しいものとされている。従って、延長主反射面４５ａと主反射面４１ａ１とは、途中に段差が生じることがなく、連続した１つの傾斜面を構成している。第１補助反射面４５ｂは、第１方向について第１反射突部４５の突出先端部（頂部）に対してＬＥＤ１７側、つまり単位反射部４１ａ側とは反対側に配されている。第１補助反射面４５ｂは、第１方向についてＬＥＤ１７側とは反対側に向かうに従って次第に光出射面１９ａから遠ざかるよう下り勾配となる傾斜面とされる。第１補助反射面４５ｂは、光出射面１９ａや反対板面１９ｃに対してなす傾斜角度θｓ３が、例えば１°〜３０°の範囲とされるのが好ましく、図１０及び図１１には１５°程度としたものを図示している。つまり、第１補助反射面４５ｂにおける上記傾斜角度θｓ３は、延長主反射面４５ａ及び主反射面４１ａ１の同傾斜角度θｓ１よりも小さなものとされている。第１方向に沿って並ぶ複数の第１反射突部４５において、延長主反射面４５ａの傾斜角度θｓ１と、第１補助反射面４５ｂの傾斜角度θｓ３と、がそれぞれ一定の大きさとされている。これにより、導光板１９を射出成形によって製造する際に用いられる成形金型の成形面を切削加工により成形する際に、各第１反射突部４５を成形する部分を切削加工するための工具として同一のものを使用することができ、成形金型を作製するためのコストの低廉化を図ることができる。
【００６８】  上記したような第１反射突部４５によれば、次の作用及び効果が得られる。すなわち、ＬＥＤ１７から発せられて導光板１９内に入射した光は、導光板１９内を伝播する過程で反対板面１９ｃ側に向かうと、第１反射突部４５の第１補助反射面４５ｂにて全反射されることで、第１補助反射面４５ｂの傾斜角度θｓ３に応じた角度付け（次述するベクトル成分の付与）がなされつつ、第１方向についてＬＥＤ１７側とは反対側、つまり主反射面４１ａ１及び延長主反射面４５ａ側へ向かって進行する。この反射光には、この第１補助反射面４５ｂによって第１方向についてＬＥＤ１７側に向かうベクトル成分が付与されている。そして、上記のようなベクトル成分が付与された反射光は、主反射面４１ａ１と延長主反射面４５ａとのいずれか一方または双方によって反射されることで、光出射面１９ａへ向けて進行し、光出射面１９ａに対する入射角が臨界角以下となることで光出射面１９ａから出射される。この光出射面１９ａからの出射光は、上記した第１反射突部４５の光学作用によって第１方向についてＬＥＤ１７側とは反対側に向かうベクトル成分が減少し、第１方向についてＬＥＤ１７側に向かうベクトル成分が増加している。従って、上記出射光に、第１方向についてＬＥＤ１７側とは反対側に向かうベクトル成分が偏って含まれる事態が生じ難くなっているので、同出射光に第１方向について輝度ムラが生じ難いものとなる。
【００６９】  第２反射突部４６は、図１０に示すように、導光板１９に一体形成されている。第２反射突部４６を導光板１９に一体に設けるには、例えば導光板１９を射出成形によって製造し、その成形金型の成形面に予め第２反射突部４６を転写するための転写形状を形成しておけばよい。第２反射突部４６は、図７及び図８に示すように、第１方向について複数が間隔を空けて並ぶ形で配されており、その第１方向についての配置が、出光反射部４１を構成する複数の単位反射部４１ａにおける第１方向についての配置と揃えられている。つまり、第２反射突部４６は、その設置数が単位反射部４１ａの設置数と同一とされるとともに、各単位反射部４１ａに対応付けて配置されている。第２反射突部４６は、図１０に示すように、第１方向に沿って切断した断面形状が略三角形（略山形）をなすとともに、図９に示すように、第２方向に沿って切断した断面形状、言い換えると第１方向について正面から視た形状が略三角形をなしており、全体としては突出先端部が先細り状となる略角錐型をなしている。第２反射突部４６は、第１方向について正面から視た外形が、反対板面側単位プリズム４４ａを第１方向について正面から視た外形に倣うよう形成されている、と言える。第２反射突部４６は、図９から図１１に示すように、反対板面１９ｃ（反対板面側単位プリズム４４ａ）からの突出寸法が最も大きな突出先端部から第２方向について両端側に向かうに従って突出寸法が連続的に漸次減少し、第２方向についての両端部が、反対板面側単位プリズム４４ａ及び単位反射部４１ａにおける第２方向についての両端部に至る手前の位置に配されている。第２反射突部４６における第２方向についての両端部は、第１反射突部４５における同両端部と第２方向について同じ位置に配されている。第１方向に沿って並ぶ複数の第２反射突部４６は、反対板面１９ｃからの突出寸法に関して、第１方向についてＬＥＤ１７側から遠ざかるのに従って次第に大きくなるよう形成されている。詳しくは、最もＬＥＤ１７の近く（図７に示す左端）に配される第２反射突部４６の上記突出寸法が最小となり、最もＬＥＤ１７から遠く（図７に示す右端）に配される第２反射突部４６の上記突出寸法が最大となっている。このように、第１方向に沿って並ぶ複数の第２反射突部４６は、上記突出寸法が第１方向に沿って並ぶ複数の単位反射部４１ａにおける高さ寸法と同様に変化するものとされており、その変化率が単位反射部４１ａの高さ寸法に係る変化率と概ね等しいものとされている。単位反射部４１ａに対して第１方向について前後に配されて組をなす第１反射突部４５と第２反射突部４６とを比べたとき、第２反射突部４６における反対板面１９ｃからの突出寸法は、第１反射突部４５における反対板面１９ｃからの突出寸法よりも相対的に大きなものとされる。従って、第２反射突部４６は、第１方向について間に単位反射部４１ａを挟んでＬＥＤ１７側に隣り合う第１反射突部４５に比べて突出先端位置が反対板面１９ｃ（光出射面１９ａ）からより遠くに配されるよう形成されている、と言える。このような構成により、主反射面４１ａ１や延長主反射面４５ａを透過した光を、第２反射突部４６の延長再入射面４６ａ���より効率的に透過させて第２補助反射面４６ｂにて反射することができる。また、第２反射突部４６における第１方向についての寸法は、第１方向について隣り合う２つの単位反射部４１ａの間の間隔よりも小さなものとされている。従って、導光板１９の反対板面１９ｃのうち、第１方向について第２反射突部４６に対してＬＥＤ１７側とは反対側の部分が、第１方向及び第２方向に沿って平坦な平坦面４７とされている。この平坦面４７は、第１方向について隣り合う第１反射突部４５と第２反射突部４６との間に介在する形で配されている、とも言える。また、第１方向に沿って並ぶ複数の第２反射突部４６は、第１方向についての寸法（長さ寸法）に関して、第１方向についてＬＥＤ１７側から遠ざかるのに従って次第に大きくなるよう形成されている。
【００７０】  そして、第２反射突部４６は、図１０に示すように、単位反射部４１ａの再入射面４１ａ２に連なる延長再入射面４６ａと、第１方向について延長再入射面４６ａに対してＬＥＤ１７側とは反対側に配される第２補助反射面４６ｂと、を有している。延長再入射面４６ａは、第１方向について第２反射突部４６の突出先端部（頂部）に対してＬＥＤ１７側、つまり単位反射部４１ａ側に配されている。延長再入射面４６ａは、第１方向についてＬＥＤ１７側とは反対側（反対端面１９ｄ側）に向かうに従って次第に光出射面１９ａから遠ざかるよう下り勾配となる傾斜面とされており、突出先端部側とは反対側の端部が再入射面４１ａ２に連なっている。延長再入射面４６ａは、光出射面１９ａや反対板面１９ｃに対してなす傾斜角度θｓ２が、例えば７０°〜９０°の範囲とされるのが好ましく、図１０及び図１１には８０°程度としたものを図示している。つまり、延長再入射面４６ａにおける上記傾斜角度θｓ２は、再入射面４１ａ２の同傾斜角度θｓ２と等しいものとされている。従って、延長再入射面４６ａと再入射面４１ａ２とは、途中に段差が生じることがなく、連続した１つの傾斜面を構成している。第２補助反射面４６ｂは、第１方向について第２反射突部４６の突出先端部（頂部）に対してＬＥＤ１７側とは反対側、つまり単位反射部４１ａ側とは反対側に配されている。第２補助反射面４６ｂは、第１方向についてＬＥＤ１７側とは反対側に向かうに従って次第に光出射面１９ａに近づくよう上り勾配となる傾斜面とされる。第２補助反射面４６ｂは、光出射面１９ａや反対板面１９ｃに対してなす傾斜角度θｓ４が、例えば３０°〜５０°の範囲とされるのが好ましく、図１０及び図１１には４０°程度としたものを図示している。つまり、第２補助反射面４６ｂにおける上記傾斜角度θｓ４は、延長再入射面４６ａ及び再入射面４１ａ２の同傾斜角度θｓ２よりも小さいものの、延長主反射面４５ａ及び主反射面４１ａ１の同傾斜角度θｓ１よりは大きいものとされる。第１方向に沿って並ぶ複数の第２反射突部４６において、延長再入射面４６ａの傾斜角度θｓ２と、第２補助反射面４６ｂの傾斜角度θｓ４と、がそれぞれ一定の大きさとされている。これにより、導光板１９を射出成形によって製造する際に用いられる成形金型の成形面を切削加工により成形する際に、各第２反射突部４６を成形する部分を切削加工するための工具として同一のものを使用することができ、成形金型を作製するためのコストの低廉化を図ることができる。
【００７１】  上記したような第２反射突部４６によれば、次の作用及び効果が得られる。すなわち、ＬＥＤ１７から発せられて導光板１９内に入射した光には、導光板１９内を伝播する過程で反対板面１９ｃ側に向かったときに、単位反射部４１ａの主反射面４１ａ１や延長主反射面４５ａに対する入射角が臨界角を超えず、主反射面４１ａ１や延長主反射面４５ａを透過するものが少なからず含まれている。主反射面４１ａ１や延長主反射面４５ａを透過した光の一部については、透過時に屈折されつつ、単位反射部４１ａの再入射面４１ａ２と第２反射突部４６の延長再入射面４６ａとの少なくともいずれか一方に入射した後に、第２反射突部４６の第２補助反射面４６ｂにて全反射されることで、第２補助反射面４６ｂの傾斜角度θｓ４に応じた角度付け（次述するベクトル成分の付与）がなされつつ、光出射面１９ａ側へ向けて立ち上げられる。この反射光には、この第２補助反射面４６ｂによって第１方向についてＬＥＤ１７側に向かうベクトル成分が付与されている。そして、上記のようなベクトル成分が付与された反射光は、光出射面１９ａに対する入射角が臨界角以下となることで光出射面１９ａから出射される。この光出射面１９ａからの出射光には、上記した第２反射突部４６の光学作用によって第１方向についてＬＥＤ１７側とは反対側に向かうベクトル成分が減少し、第１方向についてＬＥＤ１７側に向かうベクトル成分が増加している。従って、上記出射光に、第１方向についてＬＥＤ１７側とは反対側に向かうベクトル成分が偏って含まれる事態が生じ難くなっているので、同出射光に第１方向について輝度ムラが生じ難いものとなる。
【００７２】  次に、本実施形態のように反対板面１９ｃ側に第１反射突部４５及び第２反射突部４６が形成された導光板１９と、第１反射突部４５及び第２反射突部４６が形成されない導光板と、で光出射面からの出射光をプリズムシート４２を透過させて得られる出射光に係る第１方向についての輝度分布がどのように異なるかに関して知見を得るべく比較実験１を行った。この比較実験１では、反対板面に出光反射部と反対板面側プリズム部とを設けるとともに光出射面に光出射面側プリズム部を設けた導光板を比較例１とし、反対板面１９ｃに出光反射部４１と反対板面側プリズム部４４と第１反射突部４５と第２反射突部４６とを設けるとともに光出射面１９ａに光出射面側プリズム部４３を設けた導光板１９を実施例１としている。実施例１に係る導光板１９は、本段落以前に説明したものと同一の構成であり、比較例１に係る導光板は、本段落以前に説明したものから第１反射突部４５及び第２反射突部４６を省略した構成とされる。この比較実験１では、比較例１及び実施例１に係る各導光板からの出射光をプリズムシート４２に透過させて得た出射光に関する輝度分布を測定しており、その結果を図１２に示している。詳しくは、比較実験１では、比較例１及び実施例１に係る各導光板の光入射面にそれぞれＬＥＤからの光を入射させることで、各導光板の光出射面から光を出射させるようにし、その出射光を、各導光板の出光側に積層配置したプリズムシート４２に透過させることで得た出射光に係る第１方向についての輝度分布を測定した。比較実験１で用いるプリズムシート４２は、本段落以前に説明したものと同一である。図１２は、比較例１及び実施例１に係る各導光板からの出射光をプリズムシート４２に透過させて得た出射光に関する輝度分布を測定した結果を示している。図１２では、縦軸をプリズムシート４２からの出射光の相対輝度（無単位）とし、横軸を第１方向についての正面方向に対する角度（単位は「°」）としている。図１２における横軸の角度は、負の値が正面方向に対してＬＥＤ１７側（光入射面１９ｂ側）に進行する光、つまりＬＥＤ１７側に向かうベクトル成分が多い光の角度を表しているのに対し、正の値が正面方向に対してＬＥＤ１７側とは反対側（反対端面１９ｄ側）に進行する光、つまりＬＥＤ１７側とは反対側に向かうベクトル成分が多い光の角度を表している。そして、図１２における横軸の角度の絶対値が大きくなるほど、ＬＥＤ１７側に向かうベクトル成分やＬＥＤ１７側とは反対側に向かうベクトル成分がより多くなっている。図１２における縦軸の相対輝度は、実施例１に係る導光板１９を用いた場合の正面方向（角度が０°）についての輝度値を基準（１．０）とした相対値である。なお、図１２では、実線で示されるグラフが実施例１を、破線で示されるグラフが比較例１をそれぞれ表している。
【００７３】  比較実験１の実験結果について説明する。図１２から、比較例１に係る導光板からの出射光をプリズムシート４２に透過させて得た出射光には、第１方向についての正面方向に対する角度が正の値となる光が、負の値となる光よりも多く含まれており、偏った輝度分布となっていることが分かる。これは、比較例１に係る導光板の出射光には、第１方向についてＬＥＤ１７側とは反対側に向かうベクトル成分の光が多く含まれていることに因るものと推考される。このため、比較例１に係る導光板を用いると、プリズムシート４２の出射光を第１方向について正面方向に対してＬＥＤ１７側とは反対側に傾いた方向から視ると明るく感じられるものの、正面方向に対してＬＥＤ１７側に傾いた方向から視ると暗く感じられることになり、明暗の差、つまり輝度ムラが生じ易くなっている。これに対し、実施例１に係る導光板１９からの出射光をプリズムシート４２に透過させて得た出射光に関して説明すると、上記した比較例１に係る導光板を用いた場合に比べると、第１方向についての正面方向に対する角度が正の値となる光が大きく減少するとともにサブピークが解消しているのに対して、負の値となる光が増加していて、正負の値の差、つまり輝度分布に生じていた偏りが緩和されていることが分かる。これは、実施例１に係る導光板１９の出射光には、第１方向についてＬＥＤ１７側とは反対側に向かうベクトル成分の光が減少し、第１方向についてＬＥＤ１７側に向かうベクトル成分が増加していることに因るものと推考される。従って、実施例１に係る導光板１９を用いると、プリズムシート４２の出射光を第１方向について正面方向に対してＬＥＤ１７側とは反対側に傾いた方向から視た場合と、正面方向に対してＬＥＤ１７側に傾いた方向から視た場合と、で明暗の差が小さくなり、第１方向について輝度ムラが緩和されるのである。
【００７４】  ここで、導光板１９の反対板面１９ｃに配された出光反射部４１と反対板面側プリズム部４４との関係について詳しく説明する。出光反射部４１をなす単位反射部４１ａは、図８及び図９に示すように、反対板面側プリズム部４４をなす反対板面側単位プリズム４４ａのうちの頂部４４ａ２側を部分的に切り欠いて形成されている。このため、反対板面側単位プリズム４４ａのうちの頂部４４ａ２側とは反対側の底部側部分には、単位反射部４１ａが切欠形成されず、単位反射部４１ａの非形成部位とされている。この単位反射部４１ａにおける高さ寸法（第３方向について寸法）は、反対板面側単位プリズム４４ａにおける高さ寸法よりも小さなものとされている。このような構成により、単位反射部４１ａは、図７に示すように、第２方向に沿って延在しているものの、第２方向について導光板１９の全長にわたって連続した構成とはなっておらず、複数回途中で途切れている。つまり、単位反射部４１ａは、第２方向について間隔を空けて断続的に並ぶ複数の分割単位反射部４１ａＳから構成されている、と言える。しかも、単位反射部４１ａは、反対板面側単位プリズム４４ａのうちの頂部４４ａ２側を部分的に切り欠くことで第２方向に沿って側方に開口する形態に形成されている。この単位反射部４１ａをなす分割単位反射部４１ａＳの数は、反対板面側プリズム部４４をなす反対板面側単位プリズム４４ａの総数と一致している。また、単位反射部４１ａは、第２方向についての中央位置が、反対板面側単位プリズム４４ａの頂部４４ａ２における第２方向についての配置とほぼ一致している。その上で、第１方向について並んだ各単位反射部４１ａは、第１方向について光入射面１９ｂ（ＬＥＤ１７）から遠ざかるほど高さ寸法（深さ寸法）が次第に大きくなっているので（図３を参照）、第１方向について光入射面１９ｂから遠ざかるほど幅寸法（第２方向についての形成範囲）が次第に大きくなっている。従って、第１方向について光入射面１９ｂ側に配された単位反射部４１ａは、図８に示すように、幅寸法が相対的に小さくなるとともにその表面積が相対的に小さいのに対し、第１方向について反対端面１９ｄ側に配された単位反射部４１ａは、幅寸法が相対的に大きくなるとともにその表面積が相対的に大きくなっている。
【００７５】  上記した単位反射部４１ａは、その表面積の大きさに反射光量が比例する傾向にあることから、必要な反射光量を得るには表面積の大きさをそれに応じた値としなければならない。これは、出光反射部４１に関しても同様であり、出光反射部４１による必要な反射光量を得るには、出光反射部４１全体の表面積（各単位反射部４１ａの表面積を足した総面積）の大きさもそれに応じた値とする必要がある。ここで、仮に単位反射部を第２方向について導光板１９の全長にわたって延在する形で形成した場合には、単位反射部の表面積を上記値とするには、単位反射部における第３方向についての寸法を一定以上に大きくすることができない。これに比べて、単位反射部４１ａを、第２方向について間隔を空けて断続的に並ぶ複数の分割単位反射部４１ａＳから構成すれば、単位反射部４１ａの表面積を上記値とするに際して、単位反射部４１ａにおける第３方向についての寸法を相対的に大きくすることができる。従って、導光板１９を樹脂成形により製造し、その反対板面１９ｃに出光反射部４１を一体成形する際に、反対板面１９ｃにおいて単位反射部４１ａをなす分割単位反射部４１ａＳが設計通りの形状でもって形成され易くなる。これにより、出光反射部４１の光学性能を適切に発揮させることができる。なお、仮に単位反射部を第２方向について導光板１９の全長にわたって延在する形で形成した場合には、第１方向について並ぶ単位反射部の数を削減することで、各単位反射部の表面積を足した総面積を調整することが可能ではあるものの、そうすると第１方向について並ぶ単位反射部の配列間隔が大きくなるため、輝度ムラが生じることが懸念される。その点、単位反射部４１ａを、第２方向について間隔を空けて断続的に並ぶ複数の分割単位反射部４１ａＳから構成すれば、第１方向について並ぶ単位反射部４１ａの数及び配列間隔を変更する必要がないから、バックライト装置１２の出射光に輝度ムラが生じ難いものとされる。しかも、単位反射部４１ａは、反対板面側単位プリズム４４ａのうちの頂部４４ａ２側を部分的に切り欠くことで第２方向に沿って開口する形態となるよう形成されているので、反対板面側プリズム部４４による集光性能が良好に発揮される。詳しくは、仮に単位反射部が第２方向に沿って開口せずに第１方向に沿う側面を有する形態とされた場合には、その第１方向に沿う側面によって光が屈折または反射されることで、反対板面側プリズム部による集光性能が劣化することが懸念される。その点、単位反射部４１ａは、反対板面側単位プリズム４４ａのうちの頂部４４ａ２側を部分的に切り欠くことで第２方向に沿って開口する形態とされているので、反対板面側プリズム部４４による集光性能が良好に発揮され、それによりバックライト装置１２の出射光に係る輝度をより高めることができるのである。
【００７６】  さらには、上記のように第２方向について間隔を空けて断続的に並ぶ複数の分割単位反射部４１ａＳと同様に、第１反射突部４５及び第２反射突部４６は、図７から図９に示すように、複数ずつが第２方向について間隔を空けて断続的に並んで配されている。複数ずつの第１反射突部４５及び第２反射突部４６における第２方向についての配置は、複数の分割単位反射部４１ａＳに係る第２方向についての配置に揃えられている。このような配置によれば、第１反射突部４５の第１補助反射面４５ｂにて反射した光を、分割単位反射部４１ａＳの主反射面４１ａ１及び延長主反射面４５ａ側へと効率的に供給することができる。そして、分割単位反射部４１ａＳの主反射面４１ａ１や延長主反射面４５ａを透過した光を、第２反射突部４６の延長再入射面４６ａと再入射面４１ａ２との少なくともいずれか一方に入射させて第２補助反射面４６ｂにて効率的に反射することができる。これにより、第１反射突部４５及び第２反射突部４６によって光出射面１９ａからの出射光に生じ得る輝度ムラをより好適に緩和することができる。また、第１反射突部４５及び第２反射突部４６が、反対板面側プリズム部４４の集光性能に悪影響を及ぼし難いものとなる。その上で、第１反射突部４５及び第２反射突部４６は、図９に示すように、第１方向について正面から視た外形が、反対板面側単位プリズム４４ａを第１方向について正面から視た外形に倣うよう形成されている。このようにすれば、例えば導光板１９を射出成形によって製造する場合、射出成形に用いる成形金型を切削加工によって成形するに際して切削を容易に行うことができる。また、導光板１９を製造するに際して、一度樹脂成形した導光板１９に切削加工を施すようにした場合でも、当該切削加工を容易に行うことができる。以上により生産性に優れる。
【００７７】  その上、第１方向について並んだ第１反射突部４５及び第２反射突部４６は、図１０に示すように、第１方向について光入射面１９ｂ（ＬＥＤ１７）から遠ざかるほど反対板面１９ｃからの突出寸法が次第に大きくなっているので、図７に示すように、第１方向について光入射面１９ｂから遠ざかるほど幅寸法（第２方向についての形成範囲）が次第に大きくなっている。従って、第１方向について光入射面１９ｂ側に配された第１反射突部４５及び第２反射突部４６は、図７及び図８に示すように、幅寸法が相対的に小さくなるとともにその表面積が相対的に小さいのに対し、第１方向について反対端面１９ｄ側に配された第１反射突部４５及び第２反射突部４６は、幅寸法が相対的に大きくなるとともにその表面積が相対的に大きくなっている。上記した第１反射突部４５及び第２反射突部４６は、その表面積の大きさに反射光量が比例する傾向にあることから、必要な反射光量を得るには表面積の大きさをそれに応じた値としなければならない。ここで、仮に第１反射突部及び第２反射突部を第２方向について導光板１９の全長にわたって延在する形で形成した場合には、第１反射突部及び第２反射突部の表面積を上記値とするには、第１反射突部及び第２反射突部における第３方向についての寸法を一定以上に大きくすることができない。これに比べて、第１反射突部４５及び第２反射突部４６を、第２方向について間隔を空けて断続的に並ぶ形で配置すれば、第１反射突部４５及び第２反射突部４６の表面積を上記値とするに際して、第１反射突部４５及び第２反射突部４６における第３方向についての寸法を相対的に大きくすることができる。従って、導光板１９を樹脂成形により製造し、その反対板面１９ｃに第１反射突部４５及び第２反射突部４６を一体成形する際に、反対板面１９ｃにおいて第１反射突部４５及び第２反射突部４６が設計通りの形状でもって形成され易くなる。これにより、第１反射突部４５及び第２反射突部４６の光学性能を適切に発揮させることができる。
【００７８】  次に、比較実験１にて説明した実施例１に係る導光板１９と、実施例１に係る導光板１９から反対板面側プリズム部４４、第１反射突部４５及び第２反射突部４６を省略するとともに単位反射部を第２方向に沿って連続的に延在させる形態とした比較例２に係る導光板と、を用い、反対板面側プリズム部４４の有無、及び単位反射部の形態の違いによって出光反射部をなす単位反射部の形状再現性にどのような変化が生じるのかに関して知見を得るべく比較実験２を行った。比較例２に係る導光板における反対板面には、第１反射突部４５及び第２反射突部４６に加えて反対板面側プリズム部４４が設けられていないため、比較例２に係る導光板に設けられた単位反射部は、第２方向について導光板の全長にわたって連続的に（途中で途切れることなく）延在する形で設けられるとともにその第１方向についての設置数が、実施例１に係る導光板１９に設けられた単位反射部４１ａの同設置数と同一とされる。なお、上記した相違構造以外の構造に関しては、比較例２に係る導光板は、実施例１に係る導光板１９と同一とされる。この比較実験２では、比較例２に係る導光板と、実施例１に係る導光板１９とに関して、第１方向についての位置に応じた出光反射部をなす単位反射部の高さ寸法を測定し、その結果を図１３に示す。その上で、各導光板を第１方向について概ね六等分したときに生じる区分位置を、光入射面に近い側から順に第１位置、第２位置、第３位置、第４位置、及び第５位置とし、各位置における単位反射部４１ａの形状再現性の良否を判定し、その結果を図１４に示す。図１３では、縦軸を単位反射部の高さ寸法（単位は「μｍ」）とし、横軸を各導光板における第１方向についての位置としている。図１３における横軸の第１方向についての位置は、図１３における左端が各導光板の光入射面に係る位置を示し、同図右端が各導光板の反対端面に係る位置を示している。図１４では、第１位置から第５位置における単位反射部の高さ寸法と、単位反射部の形状再現性に係る判定結果とを示している。この単位反射部の形状再現性は、光学シミュレーションで得られた導光板の出射光に係る配光分布（理論値）と、実際に樹脂成形した導光板の出射光に係る配光分布（実測値）との間にどの程度の乖離があるかに基づいて判定しており、上記乖離が許容し得る基準を超えていれば、「形状再現性が悪い」と判定し、上記乖離が許容し得る基準を超えていなければ、「形状再現性が良い」と判定している。
【００７９】  比較実験２の実験結果について説明する。図１３から、実施例１に係る導光板１９と、比較例２に係る導光板とは、共に光入射面側から反対端面側に近づく（ＬＥＤ１７から遠ざかる）のに従って単位反射部の高さ寸法が次第に大きくなるよう形成されていることが分かる。その一方で、図１３からは、実施例１に係る導光板１９に設けられた単位反射部４１ａは、その高さ寸法が、比較例２に係る導光板に設けられた単位反射部の高さ寸法よりも概して大きくなるよう形成されていることが分かる。これは、比較例２に係る導光板に設けられた単位反射部が、第２方向について導光板の全長にわたって連続的に延在する形態とされるのに対し、実施例１に係る導光板１９に設けられた単位反射部４１ａが、第２方向について間隔を空けて断続的に並ぶ複数の分割単位反射部４１ａＳからなることに起因しており、以下にその理由を詳しく説明する。まず、単位反射部の表面積と、単位反射部による反射光量とは互いに比例する関係にあることから、必要な反射光量を得るには、単位反射部の表面積の大きさを目的の反射光量に応じた値としなければならない。ここで、比較例２に係る導光板では、単位反射部が第２方向について導光板の全長にわたって連続的に延在しているため、単位反射部の表面積を上記値とするには、単位反射部における高さ寸法をそれほど大きくすることはできない。これに比べて、実施例１に係る導光板では、単位反射部４１ａが第２方向について間隔を空けて断続的に並ぶ複数の分割単位反射部４１ａＳからなる構成であるから、単位反射部４１ａの表面積を上記値とするにあたり、単位反射部４１ａにおける高さ寸法を相対的に大きくすることができる。このような理由から、実施例１に係る導光板１９に設けられた単位反射部４１ａは、その高さ寸法が、比較例２に係る導光板に設けられた単位反射部の高さ寸法よりも概して大きくなるよう形成されているのである。
【００８０】  次に、図１４からは、単位反射部の高さ寸法が概ね３．２μｍを超える大きさになると、単位反射部の形状再現性が良好になることが分かる。そして、比較例２に係る導光板では、第１位置から第４位置において、いずれも単位反射部の形状再現性が不良とされ、第５位置においては同形状再現性が良好とされる。これに対し、実施例１に係る導光板１９では、第２位置から第５位置において、いずれも単位反射部４１ａの形状再現性が良好とされ、第１位置においては同形状再現性がやや良好とされる。これは、実施例１に係る導光板１９に設けられた複数の単位反射部４１ａは、その殆どが、単位反射部の形状再現性の良否の基準値である３．２μｍを超える高さ寸法とされているのに対し、比較例２に係る導光板に設けられた複数の単位反射部は、その殆どが上記基準値（３．２μｍ）を超えない高さ寸法とされていることに起因している。以上のように、実施例１のように、導光板１９の反対板面１９ｃに出光反射部４１に加えて反対板面側プリズム部４４を設けるとともに、出光反射部４１をなす単位反射部４１ａを複数の分割単位反射部４１ａＳにより構成することで、単位反射部４１ａの高さ寸法を十分に大きくことができるので、導光板１９を樹脂成形により製造する際に、その反対板面１９ｃにおいて単位反射部４１ａをなす分割単位反射部４１ａＳが設計通りの形状でもって形成され易くなっている。これにより、出光反射部４１の光学性能を適切に発揮させることができる。なお、比較例２に係る導光板において、単位反射部の高さ寸法を大きくするには、例えば第１方向について並ぶ単位反射部の数を削減することで、各単位反射部の表面積を足した総面積が一定の値となるよう調整することが考えられる。しかしながら、そうすると第１方向について並ぶ単位反射部の配列間隔が大きくなるため、導光板の出射光に輝度ムラが生じることが懸念される。その点、実施例１に係る導光板１９のように、単位反射部４１ａを、第２方向について間隔を空けて断続的に並ぶ複数の分割単位反射部４１ａＳから構成すれば、第１方向について並ぶ単位反射部４１ａの数及び配列間隔を変更する必要がないから、導光板１９の出射光に輝度ムラが生じ難いものとされる。上記した比較実験２の実験結果は、第１反射突部４５及び第２反射突部４６に関しても同様となる蓋然性が高いものと推考される。
【００８１】  以上説明したように本実施形態のバックライト装置（照明装置）１２は、ＬＥＤ（光源）１７と、方形の板状をなし、その外周端面のうち対辺をなす一対の端面の少なくともいずれか一方がＬＥＤ１７から発せられた光が入射される光入射面１９ｂとされるとともに、一方の板面が光を出射させる光出射面１９ａとされ、さらには他方の板面が反対板面１９ｃとされる導光板１９と、導光板１９に対して出光側に配され、導光板１９の外周端面のうち対辺をなすとともに光入射面１９ｂを含まない一対の端面である側端面１９ｅに沿う第１方向に沿って延在する出光側単位プリズム（出光側単位集光部）４２ａを、導光板１９の外周端面のうち光入射面１９ｂを含む一対の端面１９ｂ，１９ｄに沿う第２方向に沿って複数並ぶ形で配してなるプリズムシート（出光側異方性集光部）４２と、導光板１９の光出射面１９ａ側に配され、第１方向に沿って延在する光出射面側単位プリズム（光出射面側単位集光部）４３ａを、第２方向に沿って複数並ぶ形で配してなる光出射面側プリズム部（光出射面側異方性集光部）４３と、導光板１９の反対板面１９ｃ側に配され、第２方向に沿って延在する形となるよう反対板面１９ｃを凹ませる形で形成される単位反射部４１ａであって、第１方向についてＬＥＤ１７側に配される主反射面４１ａ１とその反対側に配される再入射面４１ａ２とを有する単位反射部４１ａを、第１方向に沿って間隔を空けて複数並ぶ形で配してなる出光反射部４１と、導光板１９の反対板面１９ｃ側に配され、第１方向に沿って延在する反対板面側単位プリズム（反対板面側単位集光部）４４ａを、第２方向に沿って複数並ぶ形で配してなる反対板面側プリズム部（反対板面側異方性集光部）４４と、導光板１９の反対板面１９ｃ側において、単位反射部４１ａに対して第１方向についてＬＥＤ１７側に配されて反対板面１９ｃから突出する形で形成される第１反射突部４５であって、主反射面４１ａ１に連なる延長主反射面４５ａと、第１方向について延長主反射面４５ａに対してＬＥＤ１７側に配されて反対板面１９ｃ側に向かう光を主反射面４１ａ１及び延長主反射面４５ａ側へ向かうよう反射する第１補助反射面４５ｂと、を有する第１反射突部４５と、導光板１９の反対板面１９ｃ側において、単位反射部４１ａに対して第１方向について第１反射突部４５側とは反対側に配されて反対板面１９ｃから突出する形で形成される第２反射突部４６であって、再入射面４１ａ２に連なる延長再入射面４６ａと、第１方向について延長再入射面４６ａに対して第１反射突部４５側とは反対側に配されて再入射面４１ａ２と延長再入射面４６ａとの少なくともいずれか一方に入射した光を光出射面１９ａ側へ向かうよう反射する第２補助反射面４６ｂと、を有する第２反射突部４６と、を備える。
【００８２】  このようにすれば、ＬＥＤ１７から発せられた光は、導光板１９の光入射面１９ｂに入射し、導光板１９内を伝播され、その過程で導光板１９の反対板面１９ｃ側に配された出光反射部４１により反射される。この出光反射部４１は、第２方向に沿って延在する単位反射部４１ａを、第１方向に沿って間隔を空けて複数並ぶ形で配してなるので、導光板１９内において第１方向に沿って進行する光を複数の単位反射部４１ａに有される主反射面４１ａ１により反射させることで、当該光を光出射面１９ａ側に向けて立ち上げることができる。これにより、光を光出射面１９ａから出射させることができる。
【００８３】  ここで、導光板１９内を伝播して反対板面１９ｃに達した光は、反対板面側プリズム部４４を構成する反対板面側単位プリズム４４ａによってその並び方向である第２方向について選択的に集光作用が付与された上で、単位反射部４１ａによって光出射面１９ａ側に向けて立ち上げられる。導光板１９の光出射面１９ａに達した光には、光出射面側プリズム部４３を構成する光出射面側単位プリズム４３ａによってその並び方向である第２方向について選択的に集光作用が付与され、さらには光出射面１９ａから出射した光には、プリズムシート４２を構成する出光側単位プリズム４２ａによってその並び方向である第２方向について選択的に集光作用が付与される。このように、光出射面１９ａから出射されて出光側単位プリズム４２ａに向かう光には、予め反対板面側プリズム部４４及び光出射面側プリズム部４３のそれぞれによって２段階で異方性集光作用が付与されているので、当該光に、出光側単位プリズム４２ａにおいて再帰反射されずに出射されるような光をより多く含ませることが可能となる。これにより、光の利用効率を十分に高めることができ、もって当該バックライト装置１２の出射光に係る輝度をより高めることができる。しかも、導光板１９の反対板面１９ｃ側に反対板面側プリズム部４４を配するようにしているから、仮に導光板に対して出光側に異方性集光部を追加して配置した場合に比べると、部品点数の削減などが図られるとともに当該バックライト装置１２の薄型化にも資するものとされる。
【００８４】  ところで、導光板１９内を伝播される光は、途中で出光反射部４１を構成する単位反射部４１ａに有される主反射面４１ａ１にて反射されることで、光出射面１９ａ側に立ち上げられるのであるが、その立ち上げ角度には偏りが生じ易く、光出射面１９ａを出射する光には、第１方向についてＬＥＤ１７側とは反対側に向かうベクトル成分が多く含まれがちとなっていて輝度ムラが生じ易くなっていた。その点、導光板１９の反対板面１９ｃ側には、単位反射部４１ａに対して第１方向についてＬＥＤ１７側に反対板面１９ｃから突出する形の第１反射突部４５が配されているので、導光板１９内を伝播して反対板面１９ｃ側に向かう光は、第１反射突部４５において延長主反射面４５ａに対して第１方向についてＬＥＤ１７側に配される第１補助反射面４５ｂにて反射されて主反射面４１ａ１及び延長主反射面４５ａ側へ向けて進行することで、当該光に第１方向についてＬＥＤ１７側に向かうベクトル成分を付与することができる。これにより、その後に主反射面４１ａ１と延長主反射面４５ａとの少なくともいずれか一方にて反射されて光出射面１９ａから出射する光に、第１方向についてＬＥＤ１７側とは反対側に向かうベクトル成分が偏って含まれる事態が生じ難くなり、もって輝度ムラの発生が緩和される。
【００８５】  その一方、導光板１９内を伝播されて単位反射部４１ａの主反射面４１ａ１に向かう光には、主反射面４１ａ１や延長主反射面４５ａに対する入射角が臨界角を超えず、主反射面４１ａ１や延長主反射面４５ａを透過するものが少なからず含まれている。主反射面４１ａ１や延長主反射面４５ａを透過した光の一部については、単位反射部４１ａの再入射面４１ａ２に入射されるものの、仮に、主反射面４１ａ１や延長主反射面４５ａを透過した光がそのまま単位反射部４１ａを通って反対板面１９ｃに再度入射した後に光出射面１９ａから出射されると、その出射光には、第１方向についてＬＥＤ１７側とは反対側に向かうベクトル成分が多く含まれがちとなっていて輝度ムラを生じさせるおそれがあった。その点、導光板１９の反対板面１９ｃ側には、単位反射部４１ａに対して第１方向についてＬＥＤ１７側とは反対側に反対板面１９ｃから突出する形の第２反射突部４６が配されているので、主反射面４１ａ１や延長主反射面４５ａを透過した光の一部は、第２反射突部４６における延長再入射面４６ａと再入射面４１ａ２との少なくともいずれか一方に入射した後に第２補助反射面４６ｂにて反射されることで光出射面１９ａ側へ向けて進行することで、当該光に第１方向についてＬＥＤ１７側に向かうベクトル成分を付与することができる。これにより、光出射面１９ａから出射する光に、第１方向についてＬＥＤ１７側とは反対側に向かうベクトル成分が偏って含まれる事態が生じ難くなり、もって輝度ムラの発生が緩和される。
【００８６】  また、出光反射部４１は、単位反射部４１ａが第２方向について間隔を空けて断続的に並ぶ複数の分割単位反射部４１ａＳから構成されている。まず、単位反射部４１ａは、その表面積の大きさに反射光量が比例する傾向にあることから、必要な反射光量を得るには表面積の大きさをそれに応じた値としなければならない。ここで、仮に単位反射部を第２方向について導光板１９の全長にわたって延在する形で形成した場合には、単位反射部の表面積を上記値とするには、単位反射部における導光板１９の板面の法線方向についての寸法を一定以上に大きくすることができない。これに比べて、単位反射部４１ａを、第２方向について間隔を空けて断続的に並ぶ複数の分割単位反射部４１ａＳから構成すれば、単位反射部４１ａの表面積を上記値とするに際して、単位反射部４１ａにおける導光板１９の板面の法線方向についての寸法を相対的に大きくすることができる。従って、例えば導光板１９を樹脂成形により製造し、その反対板面１９ｃに出光反射部４１を一体成形した場合には、反対板面１９ｃにおいて単位反射部４１ａをなす分割単位反射部４１ａＳが設計通りの形状でもって形成され易くなる。これにより、出光反射部４１の光学性能を適切に発揮させることができる。
【００８７】  なお、仮に単位反射部を第２方向について導光板１９の全長にわたって延在する形で形成した場合には、第１方向について並ぶ単位反射部の数を削減することで、各単位反射部の表面積を足した総面積を調整することが可能ではあるものの、そうすると第１方向について並ぶ単位反射部の配列間隔が大きくなるため、輝度ムラが生じることが懸念される。その点、単位反射部４１ａを、第２方向について間隔を空けて断続的に並ぶ複数の分割単位反射部４１ａＳから構成すれば、第１方向について並ぶ単位反射部４１ａの数及び配列間隔を変更する必要がないから、当該バックライト装置１２の出射光に輝度ムラが生じ難いものとされる。
【００８８】  また、出光反射部４１は、単位反射部４１ａが、反対板面側プリズム部４４をなす反対板面側単位プリズム４４ａのうちの頂部４４ａ２側を部分的に切り欠くことで第２方向に沿って開口する形態となるよう形成されている。仮に単位反射部が第２方向に沿って開口せずに第１方向に沿う側面を有する形態とされた場合には、その第１方向に沿う側面によって光が屈折または反射されることで、反対板面側プリズム部４４による集光性能が劣化することが懸念される。その点、単位反射部４１ａが、反対板面側単位プリズム４４ａのうちの頂部４４ａ２側を部分的に切り欠くことで第２方向に沿って開口する形態となるよう出光反射部４１が形成されているので、反対板面側プリズム部４４による集光性能が良好に発揮され、それにより当該バックライト装置１２の出射光に係る輝度をより高めることができる。
【００８９】  また、第１反射突部４５及び第２反射突部４６は、複数ずつが第２方向について間隔を空けて断続的に並ぶとともに、第２方向についての配置が複数の分割単位反射部４１ａＳに係る配置に揃えられている。このようにすれば、第１反射突部４５の第１補助反射面４５ｂにて反射した光を、分割単位反射部４１ａＳの主反射面４１ａ１及び延長主反射面４５ａ側へと効率的に供給することができる。そして、分割単位反射部４１ａＳの主反射面４１ａ１や延長主反射面４５ａを透過した光を、第２反射突部４６の延長再入射面４６ａと再入射面４１ａ２との少なくともいずれか一方に入射させて第２補助反射面４６ｂにて効率的に反射することができる。これにより、第１反射突部４５及び第２反射突部４６によって光出射面１９ａからの出射光に生じ得る輝度ムラをより好適に緩和することができる。また、第１反射突部４５及び第２反射突部４６が、反対板面側プリズム部４４の集光性能に悪影響を及ぼし難いものとなる。
【００９０】  また、第１反射突部４５及び第２反射突部４６は、第１方向について正面から視た外形が、反対板面側単位プリズム４４ａを第１方向について正面から視た外形に倣うよう形成されている。このようにすれば、例えば導光板１９を射出成形によって製造する場合、射出成形に用いる成形金型を切削加工によって成形するに際して切削を容易に行うことができる。また、導光板１９を製造するに際して、一度樹脂成形した導光板１９に切削加工を施すようにした場合でも、当該切削加工を容易に行うことができる。以上により生産性に優れる。
【００９１】  また、第２反射突部４６は、第１反射突部４５に比べて突出先端位置が反対板面１９ｃからより遠くに配されるよう形成されている。このようにすれば、主反射面４１ａ１や延長主反射面４５ａを透過した光を、第２反射突部４６の延長再入射面４６ａにより効率的に透過させて第２補助反射面４６ｂにて反射することができる。これにより、第１反射突部４５及び第２反射突部４６によって光出射面１９ａからの出射光に生じ得る輝度ムラをより好適に緩和することができる。
【００９２】  また、出光反射部４１は、複数の単位反射部４１ａが第１方向についてＬＥＤ１７から遠ざかるのに従って導光板１９の板面の法線方向についての寸法が大きくなるよう形成されており、第１反射突部４５及び第２反射突部４６は、それぞれ第１方向に沿って間隔を空けて複数並ぶとともに、第１方向についての配置が複数の単位反射部４１ａに係る配置に揃えられるのに加えて、それぞれＬＥＤ１７から遠ざかるのに従って反対板面１９ｃからの突出寸法が大きくなるよう形成されている。このようにすれば、導光板１９内を伝播して反対板面１９ｃ側に向かう光は、第１方向に沿って並ぶ複数の第１反射突部４５の各第１補助反射面４５ｂにて反射されることで、第１方向に沿って並ぶ複数の単位反射部４１ａの主反射面４１ａ１及び延長主反射面４５ａ側へとより適切に供給される。第１方向に沿って並ぶ複数の単位反射部４１ａの主反射面４１ａ１や延長主反射面４５ａを透過した光は、第１方向に沿って並ぶ複数の第２反射突部４６の延長再入射面４６ａと再入射面４１ａ２との少なくともいずれか一方により適切に入射されて第２補助反射面４６ｂにて反射される。このように、第１方向に沿って並ぶ複数ずつの第１反射突部４５及び第２反射突部４６によって光出射面１９ａからの出射光に生じ得る輝度ムラをより好適に緩和しつつ輝度の向上を図ることができる。
【００９３】  また、導光板１９における反対板面１９ｃと対向する反射面４０ａを有するとともに反射面４０ａにて反対板面１９ｃからの光を反射する反射シート（反射部材）４０を備えている。このようにすれば、導光板１９の反対板面１９ｃから漏れた光を反射シート４０の反射面４０ａによって反射することで、その反射光を再び反対板面１９ｃに効率的に入射させることができる。そして、例えば、導光板１９の反対板面１９ｃと反射シート４０との間に隙間が生じていた場合でも、主反射面４１ａ１や延長主反射面４５ａを透過した光を、反対板面１９ｃから反射シート４０側に突出する第２反射突部４６の延長再入射面４６ａに効率的に入射させ、その入射光を第２補助反射面４６ｂにより反射して光出射面１９ａ側へと向かわせることができるので、輝度ムラを好適に緩和することができる。
【００９４】  また、本実施形態に係る液晶表示装置（表示装置）１０は、上記したバックライト装置１２と、バックライト装置１２からの光を利用して表示を行う液晶パネル（表示パネル）１１とを備える。このような構成の液晶表示装置１０によれば、バックライト装置１２の出射光に係る正面輝度が高く且つ輝度ムラが生じ難いものとされているから、表示品位に優れた表示を実現することができる。
【００９５】  また、表示パネルは、一対の基板１１ａ，１１ｂ間に液晶を封入してなる液晶パネル１１とされる。このような表示装置は液晶表示装置１０として、種々の用途、例えばスマートフォンやタブレット型パソコンのディスプレイ等に適用できる。
【００９６】  ＜実施形態２＞  本発明の実施形態２を図１５または図１６によって説明する。この実施形態２では、導光板１１９の光出射面１１９ａに光出射面側プリズム部１４３に加えて平坦状部４８を設けたものを示す。なお、上記した実施形態１と同様の構造、作用及び効果について重複する説明は省略する。
【００９７】  本実施形態に係る導光板１１９の光出射面１１９ａには、図１５及び図１６に示すように、光出射面側プリズム部１４３に加えて、第１方向（Ｘ軸方向）及び第２方向（Ｙ軸方向）に沿って平坦な形状の平坦状部４８が設けられている。詳しくは、導光板１１９の光出射面１１９ａには、第２方向に沿って複数の光出射面側単位プリズム１４３ａが所定の間隔を空けて並んで配されるとともに、第２方向について隣り合う光出射面側単位プリズム１４３ａの間に介在する形で平坦状部４８が配されている。従って、光出射面側単位プリズム１４３ａと、平坦状部４８とは、第２方向に沿って交互に繰り返し並ぶ形で配されている。平坦状部４８の幅寸法（第２方向についての寸法）は、光出射面側単位プリズム１４３ａの幅寸法よりも小さなものとされる。また、平坦状部４８は、第１方向について導光板１１９の全長にわたって延在する形で設けられている。なお、導光板１１９における第２方向についての両端部には、それぞれ光出射面側単位プリズム１４３ａが配されており、光出射面側単位プリズム１４３ａの設置数を「ｎ」としたとき、平坦状部４８の設置数は「ｎ−１」とされている。つまり、光出射面側単位プリズム１４３ａの設置数は、平坦状部４８の設置数よりも多くなっている。
【００９８】  次に、平坦状部４８の作用について説明する。ＬＥＤから導光板１１９内に入射した光は、導光板１１９内を伝播して光出射面１１９ａに達する。この光出射面１１９ａに達した光には、光出射面側単位プリズム１４３ａにより異方性集光作用が付与されつつ出射するものと、光出射面側単位プリズム１４３ａにて全反射されて反対板面１１９ｃ側に戻されるものと、平坦状部４８にて全反射されて反対板面１１９ｃ側に戻されるものと、が少なくとも含まれる。このうち、平坦状部４８によって反対板面１１９ｃ側に戻された光は、光出射面側単位プリズム１４３ａによって全反射されて反対板面１１９ｃ側に戻された光に比べると、第２方向についてより広範囲に広がりつつ導光板１１９内を伝播することになる。従って、導光板１１９内を伝播する光が第２方向について適切に拡散した上で、光出射面側単位プリズム１４３ａにより異方性集光作用を付与されつつ出射されることになるので、その出射光に輝度ムラが生じ難いものとなっている。
【００９９】  以上説明したように本実施形態によれば、導光板１１９の光出射面１１９ａには、第２方向について隣り合う光出射面側単位プリズム１４３ａの間に、第１方向及び第２方向に沿って平坦な平坦状部４８が介在する形で設けられている。このようにすれば、導光板１１９内を伝播して光出射面１１９ａに達した光には、平坦状部４８にて全反射されて反対板面１１９ｃ側に戻されるものが生じる。平坦状部４８によって反対板面１１９ｃ側に戻された光は、光出射面側単位プリズム１４３ａによって全反射されて反対板面１１９ｃ側に戻された光に比べると、第２方向についてより広がりつつ導光板１１９内を伝播する。従って、当該バックライト装置の出射光に輝度ムラが生じ難いものとされる
【０１００】  ＜実施形態３＞  本発明の実施形態３を図１７によって説明する。この実施形態３では、上記した実施形態１に記載した光出射面側プリズム部４３に代えて、光出射面側レンチキュラーレンズ部４９を設けたものを示す。なお、上記した実施形態１と同様の構造、作用及び効果について重複する説明は省略する。
【０１０１】  本実施形態に係る導光板２１９の光出射面２１９ａには、図１７に示すように、出射光に第２方向（Ｙ軸方向）について選択的に集光作用を付与することが可能な光出射面側レンチキュラーレンズ部（光出射面側異方性集光部）４９が設けられている。光出射面側レンチキュラーレンズ部４９は、第１方向（Ｘ軸方向）に沿って延在するシリンドリカルレンズ（光出射面側単位集光部）４９ａを、第２方向に沿って複数並ぶ形で配してなるものとされる。この光出射面側レンチキュラーレンズ部４９は、導光板２１９に一体に設けられている。光出射面側レンチキュラーレンズ部４９を導光板２１９に一体に設けるには、例えば導光板２１９を射出成形によって製造し、その成形金型の成形面に予め光出射面側レンチキュラーレンズ部４９を転写するための転写形状を形成しておけばよい。シリンドリカルレンズ４９ａは、軸線方向が第１方向と一致した略半円柱状をなしており、その表側を向いた表面が円弧状をなしている。シリンドリカルレンズ４９ａは、延在方向（第１方向）と直交する並列方向（第２方向）に沿って切断した断面形状が略半円形状（蒲鉾型）をなしている。
【０１０２】  ここで、図１７に示すように、シリンドリカルレンズ４９ａ内の光が円弧状をなす表面（界面）に対して臨界角以下の入射角で入射した場合には、その光は外面にて屈折されつつ出射されることで、第２方向について選択的に集光作用を付与される。従って、第２方向がシリンドリカルレンズ４９ａの集光方向とされる。このとき、シリンドリカルレンズ４９ａの焦点を通った光については、円弧状の外面にて屈折させることで正面方向とほぼ平行な光として出射させることができる。これにより、光出射面２１９ａからの出射光のうち、第２方向に向かう光を選択的に立ち上げてその進行方向を正面方向に向かわせる（近づける）集光効果が得られる。一方、シリンドリカルレンズ４９ａ内の光が円弧状をなす表面に対して臨界角以上の入射角で入射した場合には、その光を円弧状をなす外面にて全反射させてシリンドリカルレンズ４９ａ内を第１方向に沿って進行させることで、第１方向について光を拡散させることが可能とされる。これにより、光出射面２１９ａからの出射光に生じ得る輝度ムラを軽減することができる。このシリンドリカルレンズ４９ａは、その円弧状をなす表面の基端部４９ａ１での接線Ｔａが第２方向に対してなす角度θｔを「接線角」としたとき、その接線角θｔが例えば３０°〜７０°の範囲とされるのが好ましく、図１７では７０°程度としたものを図示している。
【０１０３】  以上説明したように本実施形態によれば、光出射面側レンチキュラーレンズ（光出射面側異方性集光部）４９は、光出射面側単位集光部を、表面が円弧状をなすシリンドリカルレンズ４９ａとした構成とされている。このようにすれば、仮に光出射面側単位集光部を、断面形状が三角形のプリズムとした場合に比べると、当該バックライト装置の出射光に輝度ムラがより生じ難いものとされる。
【０１０４】  ＜実施形態４＞  本発明の実施形態４を図１８によって説明する。この実施形態４では、上記した実施形態２に記載した光出射面側プリズム部１４３に代えて、上記した実施形態３と同様の構成の光出射面側レンチキュラーレンズ部３４９を設けたものを示す。なお、上記した実施形態２，３と同様の構造、作用及び効果について重複する説明は省略する。
【０１０５】  本実施形態に係る導光板３１９の光出射面３１９ａには、図１８に示すように、平坦状部３４８と、光出射面側レンチキュラーレンズ部３４９をなすシリンドリカルレンズ３４９ａとが、第２方向（Ｙ軸方向）について複数ずつ並んで設けられている。これら平坦状部３４８と、シリンドリカルレンズ３４９ａとは、第２方向に沿って交互に繰り返し並ぶ形で配されている。このような構成によれば、平坦状部３４８による輝度ムラ抑制効果と、シリンドリカルレンズ３４９ａによる輝度ムラ抑制効果とを共に得ることができるので、導光板３１９の出射光に一層輝度ムラが生じ難いものとされる。
【０１０６】  ＜実施形態５＞  本発明の実施形態５を図１９によって説明する。この実施形態５では、上記した実施形態１に記載した平坦面４７を省略し、第１反射突部４４５の形成範囲を変更したものを示す。なお、上記した実施形態１と同様の構造、作用及び効果について重複する説明は省略する。
【０１０７】  本実施形態に係る第１反射突部４４５は、図１９に示すように、第１方向についての寸法が、第１方向について隣り合う２つの単位反射部４４１ａの間の間隔と等しくなるよう形成されている。つまり、第１方向について隣り合う２つの単位反射部４４１ａの間には、第１方向について全長にわたって第１反射突部４４５が配されている、と言える。そして、第１反射突部４４５は、延長主反射面４４５ａの傾斜角度θｓ１が主反射面４４１ａ１と同じになるよう形成されているのに対し、第１補助反射面４４５ｂの傾斜角度θｓ５が上記した実施形態１に記載したもの（図１０に示す第１補助反射面４５ｂの傾斜角度θｓ３）よりも小さくなっている。第１補助反射面４４５ｂは、上記したように勾配が上記した実施形態１に記載したものよりも緩やかになっているものの、第１方向についての延面距離が上記した実施形態１に記載したものよりも大きなものとなっている。従って、導光板４１９内を伝播して反対板面４１９ｃ側に向かう光のより多くを、第１補助反射面４４５ｂによって反射して主反射面４４１ａ１や延長主反射面４４５ａへと導くことが可能とされている。第１補助反射面４４５ｂにおける第１方向についての形成範囲は、第１反射突部４４５の突出先端部（延長主反射面４４５ａの前端位置）から、そのＬＥＤ側（図１９に示す左側）に配された第２反射突部４４６の第２補助反射面４４６ｂの後端位置に至るまでとされている。なお、本実施形態では、第１方向に沿って並ぶ複数の単位反射部４４１ａにおける配列間隔が、第１方向についてＬＥＤから遠ざかるのに従って次第に広くなるような構成とされる。これと同様に、第１方向に沿って並ぶ複数の第１反射突部４４５における第１方向についての寸法は、第１方向についてＬＥＤから遠ざかるのに従って次第に大きくなっており、その増加率が単位反射部４４１ａの配列間隔に係る増加率と等しくなっている。
【０１０８】  以上説明したように本実施形態によれば、第１反射突部４４５は、第１方向についての寸法が、第１方向について隣り合う２つの単位反射部４４１ａの間の間隔と等しくなるよう形成されている。このようにすれば、第１方向について隣り合う２つの単位反射部４４１ａの間には、第１方向について全長にわたって第１反射突部４４５が配されることになる。これにより、第１反射突部４４５に有される第１補助反射面４４５ｂによって導光板４１９内を伝播して反対板面４１９ｃ側に向かう光をより効率的に反射して主反射面４４１ａ１及び延長主反射面４４５ａ側へと向かわせることができる。
【０１０９】  ＜実施形態６＞  本発明の実施形態６を図２０によって説明する。この実施形態６では、上記した実施形態１から第１反射突部５４５及び第２反射突部５４６の形状を変更したものを示す。なお、上記した実施形態１と同様の構造、作用及び効果について重複する説明は省略する。
【０１１０】  本実施形態に係る第１反射突部５４５は、図２０に示すように、第１補助反射面５４５ｂが、傾斜角度が異なる２つの傾斜面５４５ｂ１，５４５ｂ２からなる構成とされている。第１補助反射面５４５ｂは、傾斜角度が相対的に小さくて勾配が相対的に緩やかな第１補助反射緩斜面５４５ｂ１と、傾斜角度が相対的に大きくて勾配が相対的に急な第１補助反射急斜面５４５ｂ２と、からなるものとされる。第１補助反射緩斜面５４５ｂ１は、第１方向について第１補助反射急斜面５４５ｂ２に対してＬＥＤ側に配されていて、その前端が平坦面５４７に連ねられている。第１補助反射急斜面５４５ｂ２は、第１方向について第１補助反射緩斜面５４５ｂ１に対してＬＥＤ側とは反対側（延長主反射面５４５ａ側）に配されていて、その後端が延長主反射面５４５ａに連ねられている。導光板５１９内を伝播して反対板面５１９ｃ側に向かう光は、第１補助反射面５４５ｂを構成する第１補助反射緩斜面５４５ｂ１及び第１補助反射急斜面５４５ｂ２によって反射されることで、単位反射部５４１ａの主反射面５４１ａ１及び延長主反射面５４５ａ側へ向けて進行する。このとき、反射光には、第１補助反射緩斜面５４５ｂ１と第１補助反射急斜面５４５ｂ２とで異なる角度付けがなされることになる。これにより、当該反射光の進行方向が適度に分散され、もって導光板５１９の出射光に、第１方向について輝度ムラがより生じ難くなる。
【０１１１】  一方、第２反射突部５４６は、第２補助反射面５４６ｂが、傾斜角度が異なる２つの傾斜面５４６ｂ１，５４６ｂ２からなる構成とされている。第２補助反射面５４６ｂは、傾斜角度が相対的に小さくて勾配が相対的に緩やかな第２補助反射緩斜面５４６ｂ１と、傾斜角度が相対的に大きくて勾配が相対的に急な第２補助反射急斜面５４６ｂ２と、からなるものとされる。第２補助反射緩斜面５４６ｂ１は、第１方向について第２補助反射急斜面５４６ｂ２に対してＬＥＤ側（延長再入射面５４６ａ）に配されていて、その前端が延長再入射面５４６ａに連ねられている。第２補助反射急斜面５４６ｂ２は、第１方向について第２補助反射緩斜面５４６ｂ１に対してＬＥＤ側とは反対側に配されていて、その後端が平坦面５４７に連ねられている。単位反射部５４１ａの再入射面５４１ａ２及び延長再入射面５４６ａから入射した光は、第２補助反射面５４６ｂを構成する第２補助反射緩斜面５４６ｂ１及び第２補助反射急斜面５４６ｂ２によって反射されることで、光出射面５１９ａ側に向けて立ち上げられる。このとき、反射光には、第２補助反射緩斜面５４６ｂ１と第２補助反射急斜面５４６ｂ２とで異なる角度付けがなされることになる。これにより、当該反射光の進行方向が適度に分散され、もって導光板５１９の出射光に、第１方向について輝度ムラがより生じ難くなる。
【０１１２】  以上説明したように本実施形態によれば、第１反射突部５４５と第２反射突部５４６との少なくともいずれか一方は、第１補助反射面５４５ｂと第２補助反射面５４６ｂとの少なくともいずれか一方が、互いに異なる傾斜角度とされた複数の傾斜面５４５ｂ１，５４５ｂ２，５４６ｂ１，５４６ｂ２からなるよう形成されている。このように、第１補助反射面５４５ｂと第２補助反射面５４６ｂとの少なくともいずれか一方が複数の傾斜面５４５ｂ１，５４５ｂ２，５４６ｂ１，５４６ｂ２からなる構成とすることで、反射光の進行方向が分散され易くなるので、輝度ムラの発生をより好適に抑制することができる。
【０１１３】  ＜実施形態７＞  本発明の実施形態７を図２１によって説明する。この実施形態７では、上記した実施形態１から第１反射突部６４５及び第２反射突部６４６の形状を変更したものを示す。なお、上記した実施形態１と同様の構造、作用及び効果について重複する説明は省略する。
【０１１４】  本実施形態に係る第１反射突部６４５は、図２１に示すように、第１補助反射面６４５ｂが、曲面６４５ｂ３からなる構成とされている。この曲面６４５ｂ３は、第１方向に沿って切断した断面形状が円弧状をなしており、その接線がいずれも光出射面６１９ａや反対板面６１９ｃに対して傾斜状をなしている。つまり、この曲面６４５ｂ３は、光出射面６１９ａや反対板面６１９ｃに対してなす傾斜角度が連続的に変化する構成とされている。曲面６４５ｂ３は、第１反射突部６４５を内側に凹ませるようにして形成されている。導光板６１９内を伝播して反対板面６１９ｃ側に向かう光は、第１補助反射面６４５ｂを構成する曲面６４５ｂ３によって反射されることで、単位反射部６４１ａの主反射面６４１ａ１及び延長主反射面６４５ａ側へ向けて進行する。このとき、反射光には、曲面６４５ｂ３の反射位置に応じて様々な角度でもって角度付けがなされることになる。これにより、当該反射光の進行方向が適度に分散され、もって導光板６１９の出射光に、第１方向について輝度ムラがより生じ難くなる。
【０１１５】  一方、第２反射突部６４６は、第２補助反射面６４６ｂが、曲面６４６ｂ３からなる構成とされている。この曲面６４６ｂ３は、第１方向に沿って切断した断面形状が円弧状をなしており、その接線がいずれも光出射面６１９ａや反対板面６１９ｃに対して傾斜状をなしている。つまり、この曲面６４６ｂ３は、光出射面６１９ａや反対板面６１９ｃに対してなす傾斜角度が連続的に変化する構成とされている。曲面６４６ｂ３は、第２反射突部６４６を外側に膨らませるようにして形成されている。単位反射部６４１ａの再入射面６４１ａ２及び延長再入射面６４６ａから入射した光は、第２補助反射面６４６ｂを構成する曲面６４６ｂ３によって反射されることで、光出射面６１９ａ側に向けて立ち上げられる。このとき、反射光には、曲面６４６ｂ３の反射位置に応じて様々な角度でもって角度付けがなされることになる。これにより、当該反射光の進行方向が適度に分散され、もって導光板６１９の出射光に、第１方向について輝度ムラがより生じ難くなる。
【０１１６】  以上説明したように本実施形態によれば、第１反射突部６４５と第２反射突部６４６との少なくともいずれか一方は、第１補助反射面６４５ｂと第２補助反射面６４６ｂとの少なくともいずれか一方が、曲面６４５ｂ３，６４６ｂ３となるよう形成されている。このように、第１補助反射面６４５ｂと第２補助反射面６４６ｂとの少なくともいずれか一方が曲面６４５ｂ３，６４６ｂ３からなる構成とすることで、反射光の進行方向が分散され易くなるので、輝度ムラの発生をより好適に抑制することができる。
【０１１７】  ＜実施形態８＞  本発明の実施形態８を図２２によって説明する。この実施形態８では、上記した実施形態１から第１反射突部７４５及び第２反射突部７４６の形状を変更したものを示す。なお、上記した実施形態１と同様の構造、作用及び効果について重複する説明は省略する。
【０１１８】  本実施形態に係る第１反射突部７４５は、図２２に示すように、その突出先端部に平坦面５０が形成された構成とされる。平坦面５０は、第１反射突部７４５における突出先端部を切り欠くことで形成されており、第１方向及び第２方向に沿って平坦な形状とされている。この平坦面５０によって第１反射突部７４５は、突出先端部が尖った形状とならないので、突出先端部に他の部材などが干渉した場合でもそこに潰れなどの変形が生じ難くなっている。これにより、第１反射突部７４５の光学性能が安定的に発揮されるようになっている。
【０１１９】  一方、第２反射突部７４６は、その突出先端部に平坦面５１が形成された構成とされる。平坦面５１は、第２反射突部７４６における突出先端部を切り欠くことで形成されており、第１方向及び第２方向に沿って平坦な形状とされている。この平坦面５１によって第２反射突部７４６は、突出先端部が尖った形状とならないので、突出先端部に他の部材などが干渉した場合でもそこに潰れなどの変形が生じ難くなっている。これにより、第２反射突部７４６の光学性能が安定的に発揮されるようになっている。しかも、第２反射突部７４６は、第１反射突部７４５に比べると、反対板面７１９ｃからの突出寸法が相対的に大きなものとなっているため、その突出先端部に他の部材などがより干渉し易くなっている。その点、上記した平坦面５１によって第２反射突部７４６の突出先端部に干渉に伴う潰れなどの変形が生じる事態がより効果的に抑制される。
【０１２０】  以上説明したように本実施形態によれば、第１反射突部７４５と第２反射突部７４６との少なくともいずれか一方は、反対板面７１９ｃからの突出先端部に形成される平坦面５０，５１を有している。このようにすれば、平坦面５０，５１によって第１反射突部７４５と第２反射突部７４６との少なくともいずれか一方における突出先端部に潰れなどの変形が生じ難くなる。これにより、平坦面５０，５１を有する第１反射突部７４５と第２反射突部７４６との少なくともいずれか一方における光学性能が安定的に発揮される。
【０１２１】  ＜実施形態９＞  本発明の実施形態９を図２３によって説明する。この実施形態９では、上記した実施形態４から単位反射部８４１ａ及び反対板面側単位プリズム８４４ａの構成を変更し、それに伴って第１反射突部８４５及び第２反射突部８４６の構成を変更したものを示す。なお、上記した実施形態４と同様の構造、作用及び効果について重複する説明は省略する。
【０１２２】  本実施形態に係る反対板面側単位プリズム８４４ａは、図２３に示すように、第２方向に沿って切断した断面形状が略台形状とされている。反対板面側単位プリズム８４４ａは、第２方向について複数が間隔を空けて断続的に並んで配されている。単位反射部８４１ａは、複数の分割単位反射部８４１ａＳが反対板面側単位プリズム８４４ａと同様に第２方向について間隔を空けて断続的に並んで配されており、その配置が反対板面側単位プリズム８４４ａに対して第２方向について隣り合うものとされる。つまり、反対板面側単位プリズム８４４ａと分割単位反射部８４１ａＳとは、第２方向について交互に並ぶ形で配されており、第２方向について隣り合う２つの反対板面側単位プリズム８４４ａの間に分割単位反射部８４１ａＳが、第２方向について隣り合う２つの分割単位反射部８４１ａＳの間に反対板面側単位プリズム８４４ａが、それぞれ介在する形で配されている。従って、分割単位反射部８４１ａＳは、第２方向に沿って両側方に開口することがなく、第３方向について裏側にのみ開口する形態とされている。そして、分割単位反射部８４１ａＳは、第１方向について正面から視て略台形状をなしている。なお、分割単位反射部８４１ａＳにおける第２方向についての断面形状は、上記した実施形態１に記載したものと同様である。
【０１２３】  第１反射突部８４５及び第２反射突部８４６は、複数ずつが第２方向について間隔を空けて断続的に並ぶ形で配されており、その第２方向についての配置が上記した分割単位反射部８４１ａＳに係る配置に揃えられている。つまり、第１反射突部８４５及び第２反射突部８４６は、反対板面側単位プリズム８４４ａに対して第２方向について隣り合う配置とされている。第１反射突部８４５及び第２反射突部８４６と、反対板面側単位プリズム８４４ａとは、第２方向について交互に並ぶ形で配されており、第２方向について隣り合う２つの反対板面側単位プリズム８４４ａの間に第１反射突部８４５及び第２反射突部８４６が、第２方向について隣り合う２つずつの第１反射突部８４５及び第２反射突部８４６の間に反対板面側単位プリズム８４４ａが、それぞれ介在する形で配されている。そして、第１反射突部８４５及び第２反射突部８４６は、第１方向について正面から視て略台形状をなしているので、その突出先端部が第２方向に沿ってほぼ真っ直ぐな形状とされている。このような構成によれば、第１反射突部８４５及び第２反射突部８４６における突出先端部が他の部材などに干渉した場合に同突出先端部に潰れなどの変形が生じ難くなる。従って、第１反射突部８４５及び第２反射突部８４６の光学性能が安定的に発揮されるようになっている。なお、第１反射突部８４５及び第２反射突部８４６における第２方向についての断面形状は、上記した実施形態１に記載したものと同様である。
【０１２４】  また、本実施形態に係る導光板８１９の光出射面８１９ａには、上記した実施形態４に記載したものと同様に、第２方向に沿って並ぶ複数のシリンドリカルレンズ８４９ａからなる光出射面側レンチキュラーレンズ部８４９と、各シリンドリカルレンズ８４９ａに対して第２方向について隣り合う形で配される平坦状部８４８と、が設けられている。これら平坦状部８４８と、シリンドリカルレンズ８４９ａとは、第２方向に沿って交互に繰り返し並ぶ形で配されている。なお、平坦状部８４８及びシリンドリカルレンズ８４９ａに関する構造、作用及び効果は、上記した実施形態４と同様であるから、重複する説明は省略する。
【０１２５】  ＜実施形態１０＞  本発明の実施形態１０を図２４によって説明する。この実施形態１０では、上記した実施形態９から第１反射突部９４５及び第２反射突部９４６の構成を変更したものを示す。なお、上記した実施形態９と同様の構造、作用及び効果について重複する説明は省略する。
【０１２６】  本実施形態に係る第１反射突部９４５及び第２反射突部９４６は、図２４に示すように、それぞれが第２方向について連続的に延在する形態とされるとともに、第２方向に沿って断続的に並ぶ複数の分割単位反射部９４１ａＳに跨る形で配されている。第１反射突部９４５及び第２反射突部９４６は、第２方向について導光板９１９の全幅にわたって途中で途切れることなく連続的に延在しており、各分割単位反射部９４１ａＳにおける第２方向についての形成範囲と、各反対板面側単位プリズム９４４ａにおける第２方向についての形成範囲と、をそれぞれ全て横切る形で配されている。このような構成によれば、第１反射突部９４５及び第２反射突部９４６の表面積が上記した実施形態１や実施形態９に比べて増加することになるので、第１反射突部９４５に有される第１補助反射面９４５ｂによる反射光量が増加するとともに、第２反射突部９４６に有される第２補助反射面（図示せず）による反射光量が増加する。これにより、第１反射突部９４５及び第２反射突部９４６による光学作用がより強化され、もって輝度ムラをより効果的に緩和することができる。また、第１反射突部９４５及び第２反射突部９４６は、第１方向について正面から視た形状が、導光板９１９の反対板面９１９ｃのうち、分割単位反射部９４１ａＳが形成されていない部分の断面（図２４に示す断面）を第１方向について正面から視た形状の相似形となっている。そして、第１反射突部９４５及び第２反射突部９４６は、第３方向についての寸法（反対板面９１９ｃからの突出寸法）が第２方向について全長にわたってほぼ一定とされている。これにより、第２方向についての位置に拘わらず、第１反射突部９４５及び第２反射突部９４６の表面積がほぼ一定となるので、第１反射突部９４５及び第２反射突部９４６による光学作用がより安定的に得られ、輝度ムラの緩和に一層好適とされる。
【０１２７】  以上説明したように本実施形態によれば、第１反射突部９４５及び第２反射突部９４６は、それぞれが第２方向について連続的に延在し、複数の分割単位反射部９４１ａＳに跨る形で配されるよう形成されている。このようにすれば、導光板９１９内を伝播して反対板面９１９ｃ側に向かう光を、より多く第１反射突部９４５の第１補助反射面９４５ｂにて反射して分割単位反射部９４１ａＳの主反射面９４１ａ１及び延長主反射面側へと供給することができる。そして、分割単位反射部９４１ａＳの主反射面や延長主反射面を透過した光を、より多く第２反射突部９４６の延長再入射面９４６ａと再入射面との少なくともいずれか一方に効率的に入射させて第２補助反射面にて反射することができる。これにより、第１反射突部９４５及び第２反射突部９４６によって光出射面９１９ａからの出射光に生じ得る輝度ムラを好適に緩和しつつ輝度の向上を図ることができる。
【０１２８】  ＜実施形態１１＞  本発明の実施形態１１を図２５によって説明する。この実施形態１１では、上記した実施形態１０から第１反射突部１０４５及び第２反射突部１０４６の構成を変更したものを示す。なお、上記した実施形態１１と同様の構造、作用及び効果について重複する説明は省略する。
【０１２９】  本実施形態に係る第１反射突部１０４５及び第２反射突部１０４６は、図２５に示すように、それぞれの突出先端部の第３方向についての位置が、第２方向についての位置に拘わらずほぼ一定とされている。つまり、第１反射突部１０４５及び第２反射突部１０４６は、第３方向についての寸法（反対板面１０１９ｃからの突出寸法）が第２方向についての位置に応じて変動しており、各分割単位反射部１０４１ａＳにおける第２方向についての形成範囲では上記第３方向についての寸法が相対的に大きくなるのに対し、各反対板面側単位プリズム１０４４ａにおける第２方向についての形成範囲では上記第３方向についての寸法が相対的に小さくなっている。そして、第１反射突部１０４５及び第２反射突部１０４６における第３方向についての寸法の最大値と最小値との差は、反対板面１０１９ｃからの反対板面側単位プリズム１０４４ａの突出寸法とほぼ等しくなっている。このような構成であっても、第１反射突部１０４５及び第２反射突部１０４６の表面積が上記した実施形態１や実施形態９に比べて増加するので、第１反射突部１０４５及び第２反射突部１０４６による光学作用がより強化され、もって輝度ムラをより効果的に緩和することができる。
【０１３０】  ＜実施形態１２＞  本発明の実施形態１２を図２６から図２８によって説明する。この実施形態１２では、上記した実施形態５から単位反射部１１４１ａ、第１反射突部１１４５、及び第２反射突部１１４６の構成を変更したものを示す。なお、上記した実施形態５と同様の構造、作用及び効果について重複する説明は省略する。
【０１３１】  本実施形態に係る出光反射部１１４１を構成する単位反射部１１４１ａは、図２６に示すように、第１方向について複数が間隔を空けて並ぶとともにその第１方向についての配列間隔４１Ｐがほぼ一定とされている。この単位反射部１１４１ａの配列間隔４１Ｐは、図示しない液晶パネルの画素配列との間で干渉が生じないような値とされており、それにより液晶パネルに表示される画像にモアレと呼ばれる干渉縞が生じ難くなっていて表示品位に優れる。その一方で、第１方向に沿って並ぶ複数の単位反射部１１４１ａは、第１方向及び第３方向についての各寸法が第１方向について図示しないＬＥＤから遠ざかるのに従って次第にそれぞれ大きくなり、逆にＬＥＤに近づくのに従って次第にそれぞれ小さくなるよう形成されている。そして、各単位反射部１１４１ａに有される各主反射面１１４１ａ１における第１方向についての寸法も、ＬＥＤから遠ざかるのに従って次第に大きくなり、逆にＬＥＤに近づくのに従って小さくなっている。このようにすれば、導光板１１１９内に存在する光量が少なくなる傾向にある、第１方向についてＬＥＤから遠い側においても単位反射部１１４１ａの主反射面１１４１ａ１によって光がより多く反射されて光出射面１１１９ａからの出射が促されるので、第１方向についてＬＥＤに近い側と遠い側とで出射光量に差が生じ難くなる。
【０１３２】  これに対して、第１反射突部１１４５は、図２６に示すように、第１方向について隣り合う２つの単位反射部１１４１ａの間に、第１方向について全長にわたって配されている。従って、第１方向に沿って並ぶ複数の第１反射突部１１４５は、第１方向についての寸法が第１方向についてＬＥＤから遠ざかるのに従って次第に小さくなり、逆にＬＥＤに近づくのに従って次第に大きくなるよう形成されている。このため、第１方向に沿って並ぶ複数の第１反射突部１１４５のそれぞれに有される延長主反射面１１４５ａ及び第１補助反射面１１４５ｂは、それぞれの第１方向についての延面距離が第１方向についてＬＥＤから遠ざかるのに従って次第に小さくなり、逆にＬＥＤに近づくのに従って次第に大きくなるよう形成されている。つまり、第１方向について隣り合う２つの単位反射部１１４１ａの間に、第１方向について全長にわたって第１反射突部１１４５を配置することで、第１補助反射面１１４５ｂにおける第１方向についての寸法の変化率を、単位反射部１１４１ａにおける第１方向についての寸法の変化率に、容易に適合させることができる。これにより、光出射面１１１９ａからの出射光に生じ得る輝度ムラをより好適に緩和しつつ輝度の向上を図ることができる。そして、このような第１補助反射面１１４５ｂを有する第１反射突部１１４５によれば、第１方向についてＬＥＤに近くなるほど、導光板１１１９内の光が第１補助反射面１１４５ｂによって反射され易くなるとともに、その反射によって光には第１方向についてＬＥＤ側とは反対側に向かうベクトル成分がより多く含まれることになり、もって指向性の緩和が好適になされる。これにより、導光板１１１９の光出射面１１１９ａのうち、第１方向についてＬＥＤから遠い側から出射する出射光と、第１方向についてＬＥＤに近い側から出射する出射光と、に指向性の差が生じ難くなり、もって輝度ムラの発生がより好適に緩和される。
【０１３３】  また、第２反射突部１１４６の突出先端部には、上記した実施形態８に記載したものと同様の平坦面１１５１が形成されている。この平坦面１１５１に関する構造、作用及び効果は、上記した実施形態８と同様であるから、重複する説明は省略する。なお、本実施形態に係る導光板１１１９の光出射面１１１９ａには、上記した実施形態４に記載したものと同様に、第２方向に沿って並ぶ複数のシリンドリカルレンズ１１４９ａからなる光出射面側レンチキュラーレンズ部１１４９と、各シリンドリカルレンズ１１４９ａに対して第２方向について隣り合う形で配される平坦状部（図示せず）と、が設けられている。なお、平坦状部及びシリンドリカルレンズ１１４９ａに関する構造、作用及び効果は、上記した実施形態４と同様であるから、重複する説明は省略する。
【０１３４】  次に、上記した構成の出光反射部１１４１（単位反射部１１４１ａ）、第１反射突部１１４５、及び第２反射突部１１４６が形成された導光板１１１９と、第１反射突部及び第２反射突部が形成されない導光板と、で光出射面からの出射光をプリズムシート１１４２を透過させて得られる出射光に係る第１方向についての輝度分布がどのように異なるかに関して知見を得るべく比較実験３を行った。この比較実験３では、反対板面に出光反射部と反対板面側プリズム部とを設けるとともに光出射面に光出射面側レンチキュラーレンズ部を設けた導光板を比較例３とし、反対板面１１１９ｃに出光反射部１１４１と反対板面側プリズム部１１４４と第１反射突部１１４５と第２反射突部１１４６とを設けるとともに光出射面１１１９ａに光出射面側レンチキュラーレンズ部１１４９を設けた導光板１１１９を実施例２としている。実施例２に係る導光板１１１９は、本段落以前に説明したものと同一の構成であり、比較例３に係る導光板は、本段落以前に説明したものから第１反射突部１１４５及び第２反射突部１１４６を省略した構成とされる。この比較実験３では、比較例３及び実施例２に係る各導光板からの出射光をプリズムシート１１４２に透過させて得た出射光に関する輝度分布を測定しており、その結果を図２７及び図２８に示している。詳しくは、比較実験３では、比較例３及び実施例２に係る各導光板の光入射面にそれぞれＬＥＤからの光を入射させることで、各導光板の光出射面から光を出射させるようにし、その出射光を、各導光板の出光側に積層配置したプリズムシート１１４２に透過させることで得た出射光に係る第１方向についての輝度分布を測定した。詳細には、比較例３及び実施例２に係る各導光板のうち、第１方向について中央付近、つまり相対的にＬＥＤから遠い側の部分からの出射光に係る輝度分布と、第１方向についてＬＥＤ付近、つまり相対的にＬＥＤに近い側の部分からの出射光に係る輝度分布と、をそれぞれ測定し、前者の結果を図２７に、後者の結果を図２８に、それぞれ示している。この比較実験３で用いるプリズムシート１１４２は、上記した実施形態１にて説明したものと同一である。図２７及び図２８では、縦軸をプリズムシート１１４２からの出射光の相対輝度（無単位）とし、横軸を第１方向についての正面方向に対する角度（単位は「°」）としている。図２７及び図２８における横軸の角度は、負の値が正面方向に対してＬＥＤ側（光入射面側）に進行する光、つまりＬＥＤ側に向かうベクトル成分が多い光の角度を表しているのに対し、正の値が正面方向に対してＬＥＤ側とは反対側（反対端面側）に進行する光、つまりＬＥＤ側とは反対側に向かうベクトル成分が多い光の角度を表している。そして、図２７及び図２８における横軸の角度の絶対値が大きくなるほど、ＬＥＤ側に向かうベクトル成分やＬＥＤ側とは反対側に向かうベクトル成分がより多くなっている。図２７及び図２８における縦軸の相対輝度は、実施例２に係る導光板１１１９を用いた場合の正面方向（角度が０°）についての輝度値を基準（１．０）とした相対値である。なお、図２７及び図２８では、実線で示されるグラフが実施例２を、破線で示されるグラフが比較例３をそれぞれ表している。
【０１３５】  比較実験３の実験結果について説明する。図２７及び図２８から、比較例３に係る導光板からの出射光をプリズムシート１１４２に透過させて得た出射光には、第１方向についての正面方向に対する角度が正の値となる光が、負の値となる光よりも多く含まれており、偏った輝度分布となっていることが分かる。これは、比較例３に係る導光板の出射光には、第１方向についてＬＥＤ側とは反対側に向かうベクトル成分の光が多く含まれていることに因るものと推考される。このため、比較例３に係る導光板を用いると、プリズムシート１１４２の出射光を第１方向について正面方向に対してＬＥＤ側とは反対側から視ると明るく感じられるものの、ＬＥＤ側から視ると暗く感じられることになり、明暗の差、つまり輝度ムラが生じ易くなっている。特に、第１方向について中央付近からの出射光に係る輝度分布を示す図２７と、第１方向についてＬＥＤ付近からの出射光に係る輝度分布を示す図２８と、を比べると、後者の方により大きな輝度ムラが発生しているのが分かる。これは、導光板の光出射面のうち、第１方向についてＬＥＤに近い側の部分から出射する出射光は、出射までの間に導光板内を通る光路長が相対的に短いので、光の指向性が相対的に緩和され難い傾向にあるため、と考えられる。
【０１３６】  これに対し、実施例２に係る導光板１１１９からの出射光をプリズムシート１１４２に透過させて得た出射光に関して説明すると、上記した比較例３に係る導光板を用いた場合に比べると、図２７及び図２８に示すように、第１方向についての正面方向に対する角度が正の値となる光が大きく減少するとともにサブピークが解消しているのに対して、負の値となる光が僅かに減少していて、結果として輝度分布に生じていた偏りが緩和されていることが分かる。これは、実施例２に係る導光板１１１９の出射光には、第１方向についてＬＥＤ側とは反対側に向かうベクトル成分の光が減少し、第１方向についてＬＥＤ側に向かうベクトル成分が増加していることに因るものと推考される。特に、第１方向について隣り合う２つの単位反射部１１４１ａの間の部分に、全長にわたって第１反射突部１１４５が設けられるとともに、そこに有される第１補助反射面１１４５ｂにおける第１方向についての寸法（延面距離）が、第１方向についてＬＥＤに近づくのに従って大きくされているので、第１方向についてＬＥＤに近くなるほど、導光板１１１９内の光が第１補助反射面１１４５ｂによって反射され易くなるとともに、その反射によって光には第１方向についてＬＥＤ側とは反対側に向かうベクトル成分がより多く含まれることになり、もって指向性の緩和が好適になされる。これにより、導光板１１１９の光出射面１１１９ａのうち、第１方向について中央付近、つまりＬＥＤから遠い側の部分から出射する出射光と、第１方向についてＬＥＤ付近、つまりＬＥＤに近い側の部分から出射する出射光と、に指向性の差が生じ難くなり、もって輝度ムラの発生がより好適に緩和されるのである。
【０１３７】  以上説明したように本実施形態によれば、第１反射突部１１４５は、第１補助反射面１１４５ｂにおける第１方向についての寸法が、第１方向についてＬＥＤ（光源）に近づくのに従って大きくなるよう形成されている。導光板１１１９の光出射面１１１９ａのうち、第１方向についてＬＥＤから遠い側から出射する出射光は、出射までの間に導光板１１１９内を通る光路長が相対的に長いので、光の指向性が相対的に緩和されているものの、第１方向についてＬＥＤに近い側から出射する出射光は、出射までの間に導光板１１１９内を通る光路長が相対的に短いので、光の指向性が相対的に緩和され難い傾向にある。その点、上記したように第１反射突部１１４５の第１補助反射面１１４５ｂは、第１方向についての寸法が、第１方向についてＬＥＤに近づくのに従って大きくされているので、第１方向についてＬＥＤに近くなるほど、導光板１１１９内の光が第１補助反射面１１４５ｂによって反射され易くなるとともに、その反射によって光には第１方向についてＬＥＤ側とは反対側に向かうベクトル成分がより多く含まれることになり、もって指向性の緩和が好適になされる。これにより、導光板１１１９の光出射面１１１９ａのうち、第１方向についてＬＥＤから遠い側から出射する出射光と、第１方向についてＬＥＤに近い側から出射する出射光と、に指向性の差が生じ難くなり、もって輝度ムラの発生がより好適に緩和される。
【０１３８】  また、出光反射部１１４１は、単位反射部１１４１ａにおける第１方向についての寸法が、第１方向についてＬＥＤから遠ざかるのに従って大きくなるとともに、単位反射部１１４１ａにおける第１方向についての配列間隔が、一定となるよう形成されており、第１反射突部１１４５は、第１方向についての寸法が、第１方向について隣り合う２つの単位反射部１１４１ａの間の間隔と等しくなるよう形成されている。例えば、当該バックライト装置を液晶パネルと組み合わせて用いる場合、単位反射部１１４１ａにおける第１方向についての配列間隔を、当該得パネルの画素配列との間で干渉が生じないような値とすることで、各単位反射部１１４１ａの主反射面１１４１ａ１により反射されることで導光板１１１９の光出射面１１１９ａから出射する光によって表示パネルに表示される画像に、モアレと呼ばれる干渉縞が生じ難いものとされる。一方、導光板１１１９内に存在する光量は、第１方向についてＬＥＤから遠ざかるほど減少する傾向にある。その点、上記したように単位反射部１１４１ａにおける第１方向についての寸法が、第１方向についてＬＥＤから遠ざかるに従って大きくされることで、第１方向についてＬＥＤから遠い側においても単位反射部１１４１ａの主反射面１１４１ａ１によって光がより多く反射されて光出射面１１１９ａからの出射が促されるので、第１方向についてＬＥＤに近い側と遠い側とで出射光量に差が生じ難くなる。さらには、上記のように第１方向についての配列間隔が一定とされて互いに隣り合う２つの単位反射部１１４１ａの間には、第１方向について全長にわたって第１反射突部１１４５が配されているので、そこに有される第１補助反射面１１４５ｂは、上記のように単位反射部１１４１ａにおける第１方向についての寸法が第１方向についてＬＥＤに近づくに従って小さくされることに起因して、第１方向についての寸法がＬＥＤに近づくに従って大きくされている。つまり、第１方向について隣り合う２つの単位反射部１１４１ａの間に、第１方向について全長にわたって第１反射突部１１４５を配置することで、第１補助反射面１１４５ｂにおける第１方向についての寸法の変化率を、単位反射部１１４１ａにおける第１方向についての寸法の変化率に、容易に適合させることができる。これにより、光出射面１１１９ａからの出射光に生じ得る輝度ムラをより好適に緩和しつつ輝度の向上を図ることができる。
【０１３９】  ＜実施形態１３＞  本発明の実施形態１３を図２９によって説明する。この実施形態１３では、上記した実施形態１から第１反射突部１２４５及び第２反射突部１２４６の形状を変更したものを示す。なお、上記した実施形態１と同様の構造、作用及び効果について重複する説明は省略する。
【０１４０】  本実施形態に係る第１反射突部１２４５及び第２反射突部１２４６は、図２９に示すように、第１方向について正面から視た形状が略台形状をなしている。つまり、第１反射突部１２４５及び第２反射突部１２４６は、第１方向について正面から視た外形が、反対板面側単位プリズム１２４４ａを第１方向について正面から視た外形とは異なるよう形成されている。このような構成によれば、第１反射突部１２４５及び第２反射突部１２４６における表面積が上記した実施形態１に記載したものよりも大きくなるので、第１反射突部１２４５及び第２反射突部１２４６による反射光量がよりが増加し、もって出射光に第１方向についてＬＥＤ側に向かうベクトル成分がより多く含まれるとともに輝度ムラをより好適に緩和することができる。
【０１４１】  ＜他の実施形態＞  本発明は上記記述及び図面によって説明した実施形態に限定されるものではなく、例えば次のような実施形態も本発明の技術的範囲に含まれる。  （１）上記した実施形態６の変形例１として、図３０に示すように、第１反射突部４５−１の第１補助反射面４５ｂ−１については、傾斜角度が異なる第１補助反射緩斜面４５ｂ１−１と第１補助反射急斜面４５ｂ２−１とから構成するものの、第２反射突部４６−１の第２補助反射面４６ｂ−１については、単一の傾斜面から構成するようにしてもよい。
【０１４２】  （２）上記した実施形態６の変形例２として、図３１に示すように、第２反射突部４６−２の第２補助反射面４６ｂ−２については、傾斜角度が異なる第２補助反射緩斜面４６ｂ１−２と第２補助反射急斜面４６ｂ２−２とから構成するものの、第１反射突部４５−２の第１補助反射面４５ｂ−２については、単一の傾斜面から構成するようにしてもよい。
【０１４３】  （３）上記した実施形態７の変形例１として、図３２に示すように、第１反射突部４５−３の第１補助反射面４５ｂ−３については、曲面４５ｂ３−３から構成するものの、第２反射突部４６−３の第２補助反射面４６ｂ−３については、傾斜面から構成するようにしてもよい。
【０１４４】  （４）上記した実施形態７の変形例２として、図３３に示すように、第２反射突部４６−４の第２補助反射面４６ｂ−４については、曲面４６ｂ３−４から構成するものの、第１反射突部４５−４の第１補助反射面４５ｂ−４については、傾斜面から構成するようにしてもよい。
【０１４５】  （５）上記した実施形態８の変形例１として、図３４に示すように、第１反射突部４５−５の突出先端部には、平坦面５０−５を形成するものの、第２反射突部４６−５の突出先端部には、平坦面を形成しないようにしてもよい。
【０１４６】  （６）上記した実施形態８の変形例２として、図３５に示すように、第２反射突部４６−６の突出先端部には、平坦面５１−６を形成するものの、第１反射突部４５−６の突出先端部には、平坦面を形成しないようにしてもよい。
【０１４７】  （７）上記した各実施形態では、延長主反射面の傾斜角度が主反射面の傾斜角度と等しくなる構成のものを示したが、延長主反射面の傾斜角度が主反射面の傾斜角度とは異なる大きさとされ、延長主反射面と主反射面との境界位置に屈曲部位が生じる構成であっても本発明に含まれる。
【０１４８】  （８）上記した各実施形態では、延長再入射面の傾斜角度が再入射面の傾斜角度と等しくなる構成のものを示したが、延長再入射面の傾斜角度が再入射面の傾斜角度とは異なる大きさとされ、延長再入射面と再入射面との境界位置に屈曲部位が生じる構成であっても本発明に含まれる。
【０１４９】  （９）上記した各実施形態以外にも、主反射面、延長主反射面、再入射面、延長再入射面、第１補助反射面、及び第２補助反射面のそれぞれに関する傾斜角度の具体的な数値は、適宜に変更することができる。
【０１５０】  （１０）上記した各実施形態では、第２反射突部における突出寸法が、第１反射突部における突出寸法よりも大きくなるものを例示したが、第２反射突部における突出寸法と、第１反射突部における突出寸法とが等しくなる構成や、第２反射突部における突出寸法が、第１反射突部における突出寸法よりも小さくなる構成としたものにも本発明は適用可能である。
【０１５１】  （１１）上記した各実施形態では、第１方向に沿って並ぶ第１反射突部及び第２反射突部の各設置数が、第１方向に沿って並ぶ単位反射部の設置数と同一とされたものを示したが、第１方向に沿って並ぶ第１反射突部及び第２反射突部の各設置数が、第１方向に沿って並ぶ単位反射部の設置数よりも少なくなっていてもよい。この場合、第１方向に沿って並ぶ単位反射部の中に、第１反射突部及び第２反射突部が形成されない単位反射部が含まれることになる。
【０１５２】  （１２）上記した各実施形態では、第２方向に沿って並ぶ第１反射突部及び第２反射突部の各設置数が、第２方向に沿って並ぶ分割単位反射部の設置数と同一とされたものを示したが、第２方向に沿って並ぶ第１反射突部及び第２反射突部の各設置数が、第２方向に沿って並ぶ分割単位反射部の設置数よりも少なくなっていてもよい。この場合、第２方向に沿って並ぶ分割単位反射部の中に、第１反射突部及び第２反射突部が形成されない単位反射部が含まれることになる。
【０１５３】  （１３）上記した各実施形態では、第１方向に沿って並ぶ第１反射突部及び第２反射突部の各設置数が互いに同一とされたものを示したが、第１方向に沿って並ぶ第１反射突部の設置数と、第１方向に沿って並ぶ第２反射突部の設置数とが異なっていても構わない。
【０１５４】  （１４）上記した各実施形態では、第２方向に沿って並ぶ第１反射突部及び第２反射突部の各設置数が互いに同一とされたものを示したが、第２方向に沿って並ぶ第１反射突部の設置数と、第２方向に沿って並ぶ第２反射突部の設置数とが異なっていても構わない。
【０１５５】  （１５）上記した実施形態６では、第１補助反射面及び第２補助反射面がそれぞれ２つの傾斜面によって構成されたものを示したが、第１補助反射面及び第２補助反射面がそれぞれ３つ以上の傾斜面によって構成されるようにしてもよい。これは、実施形態６の変形例である上記（１），（２）に記載した構成にも適用可能である。
【０１５６】  （１６）上記した実施形態７では、第１補助反射面を構成する曲面が第１反射突部において内側に凹む形態で形成されたものを示したが、第１補助反射面を構成する曲面が第１反射突部において外側に膨らむ形態で形成されたものも本発明に含まれる。これは、実施形態７の変形例である上記（３），（４）に記載した構成にも適用可能である。
【０１５７】  （１７）上記した実施形態７では、第２補助反射面を構成する曲面が第２反射突部において外側に膨らむ形態で形成されたものを示したが、第２補助反射面を構成する曲面が第２反射突部において内側に凹む形態で形成されたものも本発明に含まれる。これは、実施形態７の変形例である上記（３），（４）に記載した構成にも適用可能である。
【０１５８】  （１８）上記した実施形態８では、第１補助反射面及び第２補助反射面における突出先端部を切り欠いて平坦面を形成したものを示したが、要は第１補助反射面及び第２補助反射面における突出先端部が尖った形状となっていなければ、突出先端部の変形防止効果を得ることができるのであるから、第１補助反射面及び第２補助反射面における突出先端面の具体的な形状は平坦面以外にも適宜に変更可能である。例えば、第１補助反射面及び第２補助反射面における突出先端面が円弧状に凹む形状、または円弧状に膨らむ形状であってもよい。これは、実施形態８の変形例である上記（５），（６）に記載した構成にも適用可能である。
【０１５９】  （１９）上記した実施形態９〜１２では、導光板の光出射面側の構成を、隣り合うシリンドリカルレンズの間に平坦状部が介在するようにしたものを示したが、平坦状部を省略するとともに光出射面側の構成を、上記した実施形態３（隣り合うシリンドリカルレンズの間に平坦状部が介在しない構成）と同様にすることも可能である。さらには、上記した実施形態９〜１２の変形例として、光出射面側の構成を、上記した実施形態１（隣り合う光出射面側単位プリズムの間に平坦状部が介在しない構成）または実施形態２（隣り合う光出射面側単位プリズムの間に平坦状部が介在する構成）と同様にすることも可能である。
【０１６０】  （２０）上記した実施形態９〜１１では、反対板面側単位プリズムにおける第２方向についての断面形状が台形状とされたものを示したが、反対板面側単位プリズムにおける第２方向についての断面形状を、上記した実施形態１と同様に三角形とすることも可能である。
【０１６１】  （２１）上記した各実施形態では、出光反射部を構成する単位反射部の第１方向についての配列間隔がＬＥＤから遠ざかるほど大きくなるものや、同配列間隔が一定とされるものを例示したが、単位反射部の第１方向についての配列間隔がＬＥＤ側から遠ざかるほど小さくなる構成としたものにも本発明は適用可能である。
【０１６２】  （２２）上記した各実施形態では、出光反射部を構成する単位反射部の第３方向についての寸法がＬＥＤから遠ざかるほど大きくなるものを例示したが、単位反射部の第３方向についての寸法が一定となる構成としたものにも本発明は適用可能である。
【０１６３】  （２３）上記した各実施形態以外にも、出光反射部を構成する単位反射部、プリズムシートの出光側単位プリズム、光出射面側プリズム部を構成する光出射面側単位プリズム、及び反対板面側プリズム部を構成する反対板面側単位プリズムにおける具体的な断面形状は、適宜に変更することができる。例えば、出光側単位プリズム、光出射面側単位プリズム、及び反対板面側単位プリズムを第２方向に沿って切断した断面形状が、各辺の寸法及び各底角が互いに異なる三角形（不等辺三角形）となるようにしてもよい。また、単位反射部における第１方向に沿って切断した断面形状を台形状とすることができる。また、出光側単位プリズムにおける第２方向に沿って切断した断面形状を台形状とすることができる。また、光出射面側単位プリズムにおける第２方向に沿って切断した断面形状を台形状とすることができる。
【０１６４】  （２４）上記した各実施形態では、導光板の反対板面に、複数の反対板面側単位プリズムから構成される反対板面側プリズム部を設けた場合を示したが、導光板の反対板面に、第１方向に沿って延在するとともに第２方向に沿って並ぶ複数の反対板面側シリンドリカルレンズ（反対板面側単位集光部）から構成される反対板面側レンチキュラーレンズ部（反対板面側異方性集光部）を設けるようにしても構わない。反対板面側シリンドリカルレンズ及び反対板面側レンチキュラーレンズ部の具体的な構成は、上記した実施形態３に記載したシリンドリカルレンズ及び光出射面側レンチキュラーレンズ部の構成と概ね同様とされる。
【０１６５】  （２５）上記した各実施形態以外にも、反対板面側プリズム部をなす反対板面側単位プリズムの頂角、高さ寸法、幅寸法、第２方向についての配列間隔などの具体的な値は、適宜に変更可能である。同様に、光出射面側プリズム部をなす光出射面側単位プリズムにおける頂角、高さ寸法、幅寸法、第２方向についての配列間隔などの具体的な値は、適宜に変更可能である。同様にプリズムシートをなす出光側単位プリズムにおける頂角、高さ寸法、幅寸法、第２方向についての配列間隔などの具体的な値は、適宜に変更可能である。
【０１６６】  （２６）上記した各実施形態では、プリズムシートに、断面形状が三角形とされた出光側単位プリズムが設けられたものを示したが、このような出光側単位プリズムに代えて、軸線方向が第１方向と一致した略半円柱状をなす複数のシリンドリカルレンズをプリズムシートに設けるようにしても構わない。
【０１６７】  （２７）上記した各実施形態では、光出射面側プリズム部または光出射面側レンチキュラーレンズ部が導光板の光出射面に一体に設けられた構成のものを示したが、光出射面側プリズム部または光出射面側レンチキュラーレンズ部を導光板とは別部品として設けるようにし、その別部品とした光出射面側プリズム部または光出射面側レンチキュラーレンズ部を導光板の光出射面上に重なる形で配置する構成を採ることも可能である。その場合、別部品とした光出射面側プリズム部または光出射面側レンチキュラーレンズ部をなす材料の屈折率を、導光板をなす材料の屈折率と同一とするのが好ましい。さらには、別部品とした光出射面側プリズム部または光出射面側レンチキュラーレンズ部をなす材料を、導光板をなす材料と同一とするのが好ましい。
【０１６８】  （２８）上記した実施形態２，４，９〜１２では、平坦状部と、光出射面側単位プリズムとが第２方向について交互に繰り返し並ぶ形で配されたものを示したが、第２方向について２つの平坦状部の間に複数の光出射面側単位プリズムが挟まれる配置とすることも可能である。
【０１６９】  （２９）上記した実施形態２，４，９〜１２以外にも、導光板の光出射面における平坦状部の面積比率の具体的な値は、適宜に変更可能である。
【０１７０】  （３０）上記した実施形態２，４，９〜１２では、導光板の光出射面に平坦状部を設けた場合を示したが、導光板の反対板面に平坦状部を設けることも可能である。その場合、反対板面側プリズム部をなすとともに第２方向に沿って並ぶ複数の反対板面側単位プリズムの間に平坦状部を介在する形で配置すればよい。
【０１７１】  （３１）上記した実施形態３，４，９〜１２には、光出射面側レンチキュラーレンズ部を構成するシリンドリカルレンズにおける接線角を７０°としたものを図示したが、シリンドリカルレンズにおける具体的な接線角は適宜に変更することができる。
【０１７２】  （３２）上記した各実施形態において、光出射面側プリズム部を構成する複数の光出射面側単位プリズムにおける配列間隔、及びプリズムシートの複数の出光側単位プリズムにおける配列間隔は、液晶パネルの画素配列に対して干渉しないような値とするのが好ましい。また、上記した実施形態２，４，９〜１２に記載した複数の平坦状部における配列間隔に関しても、液晶パネルの画素配列に対して干渉しないような値とするのが好ましい。
【０１７３】  （３３）上記した各実施形態では、プリズムシートは、出光側単位プリズムの延在方向が第１方向に対して平行となる配置とされたものを示したが、出光側単位プリズムの延在方向が第１方向に対して所定角度（例えば５°程度）傾くよう、プリズムシートを配置することも可能である。このようにすれば、出光側単位プリズムの配列が液晶パネルの画素配列に対して干渉し難くなるので、モアレの抑制に好適となる。
【０１７４】  （３４）上記した各実施形態では、光学シートが１枚のプリズムシートのみからなる構成のものを示したが、他の種類の光学シート（例えば拡散シートや反射型偏光シートなど）を追加することも可能である。また、プリズムシートを複数枚とすることも可能である。
【０１７５】  （３５）上記した各実施形態では、導光板の光入射面に沿ってＬＥＤ基板が１枚配される構成のものを示したが、導光板の光入射面に沿ってＬＥＤ基板が２枚以上並ぶ配置構成としたものも本発明に含まれる。
【０１７６】  （３６）上記した各実施形態では、導光板における短辺側の一端面を光入射面とし、その光入射面に対してＬＥＤ基板を対向状に配したものを示したが、導光板における長辺側の一端面を光入射面とし、その光入射面に対してＬＥＤ基板を対向状に配したものも本発明に含まれる。その場合、出光側単位プリズム、光出射面側単位プリズム、及び反対板面側単位プリズムにおける延在方向を、導光板の短辺方向に一致させ、出光側単位プリズム、光出射面側単位プリズム、及び反対板面側単位プリズムにおける幅方向（並び方向）を、導光板の長辺方向に一致させればよい。
【０１７７】  （３７）上記した（３６）以外にも、導光板における短辺側の一対の端面をそれぞれ光入射面とし、各光入射面に対して一対のＬＥＤ基板をそれぞれ対向状に配したものや、導光板における長辺側の一対の端面をそれぞれ光入射面とし、各光入射面に対して一対のＬＥＤ基板をそれぞれ対向状に配したものも本発明に含まれる。
【０１７８】  （３８）上記した各実施形態では、導光板が長方形状とされた場合を示したが、導光板が正方形であってもよい。また、導光板は、完全なる方形である必要はなく、外周端部の一部が切り欠かれた構成であっても構わない。
【０１７９】  （３９）上記した各実施形態では、頂面発光型のＬＥＤを用いた場合を示したが、ＬＥＤ基板に対する実装面に対して隣り合う側面が発光面とされる側面発光型のＬＥＤを用いたものにも本発明は適用可能である。
【０１８０】  （４０）上記した各実施形態では、タッチパネルのタッチパネルパターンとして投影型静電容量方式のものを例示したが、それ以外にも、表面型静電容量方式、抵抗膜方式、電磁誘導方式などのタッチパネルパターンを採用したものにも本発明は適用可能である。
【０１８１】  （４１）上記した各実施形態に記載したタッチパネルに代えて、例えば、液晶パネルの表示面に表示される画像を視差により分離することで、立体画像（３Ｄ画像、三次元画像）として観察者に観察させるための視差バリアパターンを有する視差バリアパネル（スイッチ液晶パネル）を用いることも可能である。また、上記した視差バリアパネルとタッチパネルとを併用することも可能である。
【０１８２】  （４２）上記した（４１）に記載した視差バリアパネルにタッチパネルパターンを形成し、視差バリアパネルにタッチパネル機能を併有させることも可能である。
【０１８３】  （４３）上記した各実施形態では、液晶表示装置に用いる液晶パネルの画面サイズを５インチ程度とした場合を例示したが、液晶パネルの具体的な画面サイズは５インチ以外にも適宜に変更可能である。特に画面サイズを５インチを超える大きさとした場合には、タブレット型パソコンなどの電子機器に用いるのが好適である。また、液晶パネルの画面サイズを問わず、スマートフォンやタブレット型パソコン以外の電子機器として、例えば車載型情報端末（カーナビゲーションシステム）、携帯型ゲーム機などの電子機器にも本発明は適用可能である。
【０１８４】  （４４）上記した各実施形態では、液晶パネルが有するカラーフィルタの着色部をＲ，Ｇ，Ｂの３色としたものを例示したが、着色部を４色以上とすることも可能である。
【０１８５】  （４５）上記した各実施形態では、光源としてＬＥＤを用いたものを示したが、有機ＥＬなどの他の光源を用いることも可能である。
【０１８６】  （４６）上記した各実施形態では、フレームが金属製とされたものを示したが、フレームを合成樹脂製とすることも可能である。
【０１８７】  （４７）上記した各実施形態では、カバーパネルとして化学強化処理を施した強化ガラスを用いた場合を示したが、風冷強化処理（物理強化処理）を施した強化ガラスを用いることも勿論可能である。
【０１８８】  （４８）上記した各実施形態では、カバーパネルとして強化ガラスを用いたものを示したが、強化ガラスではない通常のガラス材（非強化ガラス）や合成樹脂材を用いることも勿論可能である。
【０１８９】  （４９）上記した各実施形態では、液晶表示装置にカバーパネルを用いた場合を示したが、カバーパネルを省略することも可能である。同様にタッチパネルを省略することも可能である。
【０１９０】  （５０）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【符号の説明】
【０１９１】  １０...液晶表示装置（表示装置）、１１...液晶パネル（表示パネル）、１１ａ，１１ｂ...基板、１２...バックライト装置（照明装置）、１７...ＬＥＤ（光源）、１９，１１９，２１９，３１９，４１９，５１９，６１９，８１９，９１９，１１１９...導光板、１９ａ，１１９ａ，２１９ａ，３１９ａ，５１９ａ，６１９ａ，８１９ａ，９１９ａ，１１１９ａ...光出射面、１９ｂ...光入射面、１９ｃ，１１９ｃ，４１９ｃ，５１９ｃ，６１９ｃ，７１９ｃ，９１９ｃ，１０１９ｃ，１１１９ｃ...反対板面（板面）、１９ｅ...側端面（光入射面を含まない一対の端面）、４０...反射シート（反射部材）、４０ａ...反射面、４１，１１４１...出光反射部、４１ａ，４４１ａ，５４１ａ，６４１ａ，８４１ａ，１１４１ａ...単位反射部、４１ａ１，４４１ａ１，５４１ａ１，６４１ａ１，１１４１ａ１...主反射面、４１ａ２，５４１ａ２，６４１ａ２...再入射面、４１ａＳ，８４１ａＳ，９４１ａＳ，１０４１ａＳ...分割単位反射部、４２，１１４２...プリズムシート（出光側異方性集光部）、４２ａ...出光側単位プリズム（出光側単位集光部）、４３，１４３...光出射面側プリズム部（光出射面側異方性集光部）、４３ａ，１４３ａ...光出射面側単位プリズム（光出射面側単位集光部）、４４，１１４４...反対板面側プリズム部（反対板面側異方性集光部）、４４ａ，８４４ａ，９４４ａ，１０４４ａ，１２４４ａ...反対板面側単位プリズム（反対板面側単位集光部）、４４ａ２...頂部、４５，４５−１，４５−２，４５−３，４５−４，４５−５，４５−６，４４５，５４５，６４５，７４５，８４５，９４５，１０４５，１１４５，１２４５...第１反射突部、４５ａ，４４５ａ，５４５ａ，６４５ａ，１１４５ａ...延長主反射面、４５ｂ，４５ｂ−１，４５ｂ−２，４５ｂ−３，４５ｂ−４，４４５ｂ，５４５ｂ，６４５ｂ，９４５ｂ，１１４５ｂ...第１補助反射面、４５ｂ１−１，５４５ｂ１...第１補助反射緩斜面（傾斜面）、４５ｂ２−１，５４５ｂ２...第１補助反射急斜面（傾斜面）、４５ｂ３−３，６４５ｂ３...曲面、４６，４６−１，４６−２，４６−３，４６−４，４６−５，４６−６，４４６，５４６，６４６，７４６，８４６，９４６，１０４６，１１４６，１２４６...第２反射突部、４６ａ，５４６ａ，６４６ａ，９４６ａ...延長再入射面、４６ｂ，４６ｂ−１，４６ｂ−２，４６ｂ−３，４６ｂ−４，４４６ｂ，５４６ｂ，６４６ｂ...第２補助反射面、４６ｂ１−２，５４６ｂ１...第２補助反射緩斜面（傾斜面）、４６ｂ２−２，５４６ｂ２...第２補助反射急斜面（傾斜面）、４６ｂ３−４，６４６ｂ３...曲面、４７，５４７...平坦面、４８，３４８，８４８...平坦状部、４９，３４９，８４９，１１４９...光出射面側レンチキュラーレンズ部（光出射面側異方性集光部）、４９ａ，３４９ａ，８４９ａ，１１４９ａ...シリンドリカルレンズ（光出射面側単位集光部）、５０，５０−５...平坦面、５１，５１−６，１１５１...平坦面
【図１】
2015141367.tif 000003
【図２】
2015141367.tif 000004
【図３】
2015141367.tif 000005
【図４】
2015141367.tif 000006
【図５】
2015141367.tif 000007
【図６】
2015141367.tif 000008
【図７】
2015141367.tif 000009
【図８】
2015141367.tif 000010
【図９】
2015141367.tif 000011
【図１０】
2015141367.tif 000012
【図１１】
2015141367.tif 000013
【図１２】
2015141367.tif 000014
【図１３】
2015141367.tif 000015
【図１４】
2015141367.tif 000016
【図１５】
2015141367.tif 000017
【図１６】
2015141367.tif 000018
【図１７】
2015141367.tif 000019
【図１８】
2015141367.tif 000020
【図１９】
2015141367.tif 000021
【図２０】
2015141367.tif 000022
【図２１】
2015141367.tif 000023
【図２２】
2015141367.tif 000024
【図２３】
2015141367.tif 000025
【図２４】
2015141367.tif 000026
【図２５】
2015141367.tif 000027
【図２６】
2015141367.tif 000028
【図２７】
2015141367.tif 000029
【図２８】
2015141367.tif 000030
【図２９】
2015141367.tif 000031
【図３０】
2015141367.tif 000032
【図３１】
2015141367.tif 000033
【図３２】
2015141367.tif 000034
【図３３】
2015141367.tif 000035
【図３４】
2015141367.tif 000036
【図３５】
2015141367.tif 000037
【国際調査報告】
2015141367.tif 000038
2015141367.tif 000039